(57)【要約】【課題】大型化に適した表示システムまたは表示装置を提供する。【解決手段】第１の表示パネルと、第２の表示パネルと、検出手段と、補正手段と、を有し、第１の表示パネルは、第１の表示領域を有し、第２の表示パネルは、第２の表示領域を有し、第１の表示領域と第２の表示領域とが互いに重なる第１の領域を有し、検出手段は、第１の領域の大きさを検出する機能を有し、補正手段は、第１の領域の大きさの変化に基づいて、第１の表示領域の表示を補正する機能を有する表示システムとする。【選択図】図７
2020170177.tif 000002
【特許請求の範囲】
【請求項１】
可撓性を有する第１の表示パネルと、可撓性を有する第２の表示パネルと、補正手段と、を有し、
前記第１の表示パネルは、第１の領域と、第２の領域と、第３の領域と、を有し、
前記第２の表示パネルは、第４の領域と、第５の領域と、第６の領域と、を有し、
前記第１及び第４の領域は、表示を行うことができる領域であり、
前記第２及び第５の領域は、可視光を透過することができる領域であり、
前記第３の領域には、第１のＦＰＣを有し、
前記第６の領域には、第２のＦＰＣを有し、
前記第２の領域は、前記第４の領域と重なる領域を有し、
前記第１の領域の表面と、前記第４の領域の表面とが、同一平面である領域を有し、
前記第３の領域は、湾曲した領域を有し、
前記補正手段は、前記第１の領域の大きさの変化に基づいて、前記第１の領域の表示を補正する機能を有する表示システム。
【請求項２】
請求項１に記載の表示システムであって、
前記補正手段は、前記第１の領域の大きさの変化に基づいて、前記第１の領域の表示および前記第４の領域の表示を補正する機能を有する表示システム。
【請求項３】
請求項１または２に記載の表示システムであって、
前記第１のＦＰＣは、前記第１の表示パネルの表示面と前記第２の表示パネルの表示面とは反対側との間に位置し、
前記第１のＦＰＣは、前記第２の表示パネルの表示面とは反対側には接しない表示システム。
【発明の詳細な説明】
【技術分野】
【０００１】
本発明の一態様は、表示システムに関する。または、本発明の一態様は表示装置に関す
る。
【０００２】
なお、本発明の一態様は、上記の技術分野に限定されない。本明細書等で開示する発明
の一態様の技術分野は、物、方法、または、製造方法に関するものである。または、本発
明の一態様は、プロセス、マシン、マニュファクチャ、または、組成物（コンポジション
・オブ・マター）に関するものである。そのため、より具体的に本明細書で開示する本発
明の一態様の技術分野としては、半導体装置、表示装置、発光装置、照明装置、蓄電装置
、記憶装置、それらの駆動方法、または、それらの製造方法、を一例として挙げることが
できる。
【０００３】
なお、本明細書等において表示システムとは、表示装置を有するシステム全般を指す。
表示システムは、表示装置のほか、トランジスタなどの半導体装置をはじめ、演算装置、
記憶装置、撮像装置などを有していてもよい。
【背景技術】
【０００４】
近年、表示装置の大型化が求められている。例えば、一般家庭においては対角４０イン
チ以上の大きさの表示パネルを有するテレビジョン装置の普及が進んでおり、今後さらに
大型化が進む様相を呈している。このほかに、デジタルサイネージ（Ｄｉｇｉｔａｌ  Ｓ
ｉｇｎａｇｅ：電子看板）や、ＰＩＤ（Ｐｕｂｌｉｃ  Ｉｎｆｏｒｍａｔｉｏｎ  Ｄｉｓ
ｐｌａｙ）などが挙げられる。また、デジタルサイネージや、ＰＩＤなどは、大型である
ほど提供できる情報量を増やすことができる。特に広告等に用いる場合には大型であるほ
ど人の目につきやすく、広告の宣伝効果を高めることができる。
【０００５】
また、表示装置は様々な用途への応用も期待されており、その形態の多様化が求められ
ている。
【０００６】
表示装置としては、代表的には液晶表示装置、有機ＥＬ（Ｅｌｅｃｔｒｏ  Ｌｕｍｉｎ
ｅｓｃｅｎｃｅ）素子や発光ダイオード（ＬＥＤ：Ｌｉｇｈｔ  Ｅｍｉｔｔｉｎｇ  Ｄｉ
ｏｄｅ）等の発光素子を備える発光装置、電気泳動方式などにより表示を行う電子ペーパ
ーなどが挙げられる。
【０００７】
例えば、有機ＥＬ素子の基本的な構成は、一対の電極間に発光性の有機化合物を含む層
を挟持したものである。この素子に電圧を印加することにより、発光性の有機化合物から
発光を得ることができる。このような有機ＥＬ素子が適用された表示装置は、液晶表示装
置等で必要であったバックライトが不要なため、薄型、軽量、高コントラストで且つ低消
費電力な表示装置を実現できる。
【０００８】
また、特許文献１には、フィルム基板上にスイッチング素子であるトランジスタや有機
ＥＬ素子を備えたフレキシブルなアクティブマトリクス型の発光装置が開示されている。
【先行技術文献】
【特許文献】
【０００９】
【特許文献１】特開２００３−１７４１５３号公報
【発明の概要】
【発明が解決しようとする課題】
【００１０】
本発明の一態様は、大型化に適した表示装置または表示システムを提供することを課題
の一とする。または、表示ムラの抑制された表示装置または表示システムを提供すること
を課題の一とする。または、省スペースに適した表示装置を提供することを課題の一とす
る。または、コンパクトに収納することのできる表示装置を提供することを課題の一とす
る。または、信頼性の高い表示装置を提供することを課題の一とする。
【００１１】
または、本発明の一態様は、新規な表示装置、発光装置、照明装置、電子機器等を提供
することを課題の一とする。
【００１２】
なお、これらの課題の記載は、他の課題の存在を妨げるものではない。本発明の一態様
は、これらの課題の全てを解決する必要はないものとする。また、上記以外の課題は、明
細書等の記載から自ずと明らかになるものであり、明細書等の記載から上記以外の課題を
抽出することが可能である。
【課題を解決するための手段】
【００１３】
本発明の一態様は、第１の表示パネルと、第２の表示パネルと、検出手段と、補正手段
と、を有し、第１の表示パネルは、第１の表示領域を有し、第２の表示パネルは、第２の
表示領域を有し、第１の表示領域と第２の表示領域とが互いに重なる第１の領域を有し、
検出手段は、第１の領域の大きさを検出する機能を有し、補正手段は、第１の領域の大き
さの変化に基づいて、第１の表示領域の表示を補正する機能を有する表示システムである
。
【００１４】
また、上記の補正手段は、第１の領域の大きさの変化に基づいて、第１の表示領域の表
示および第２の表示領域の表示を補正する機能を有していてもよい。
【００１５】
また、上記の第２の表示パネルは、第２の表示領域に隣接して第１の透明部を有してい
てもよい。
【００１６】
また、上記の第１の表示パネルおよび第２の表示パネルは、可撓性を有していてもよい
。
【００１７】
また、上記の表示システムであって、検出手段は光電変換素子を含み、光電変換素子は
第１の表示パネルの第１の表示領域に設けられた表示システムも、本発明の一態様である
。
【００１８】
また、上記の表示システムであって、第１の表示パネルは予備表示領域を有し、補正手
段は、第１の領域の大きさの変化に基づいて、予備表示領域の一部を表示させる機能を有
する表示システムも、本発明の一態様である。
【発明の効果】
【００１９】
本発明の一態様によれば、大型化に適した表示装置または表示システムを提供できる。
または、表示ムラの抑制された表示装置または表示システムを提供できる。または、省ス
ペースに適した表示装置を提供できる。または、コンパクトに収納することのできる表示
装置をできる。または、信頼性の高い表示装置を提供できる。
【００２０】
または、新規な表示装置、または電子機器等を提供できる。なお、これらの効果の記載
は、他の効果の存在を妨げるものではない。なお、本発明の一態様は、必ずしも、これら
の効果の全てを有する必要はない。なお、これら以外の効果は、明細書、図面、請求項な
どの記載から、自ずと明らかとなるものであり、明細書、図面、請求項などの記載から、
これら以外の効果を抽出することが可能である。
【図面の簡単な説明】
【００２１】
【図１】実施の形態に係る、表示装置の構成例。
【図２】実施の形態に係る、表示装置の構成例。
【図３】実施の形態に係る、表示装置の構成例。
【図４】実施の形態に係る、表示装置の適用例。
【図５】実施の形態に係る、表示装置の適用例。
【図６】実施の形態に係る、表示システムを説明するブロック図。
【図７】実施の形態に係る、表示装置を説明する図。
【図８】実施の形態に係る、表示装置を説明する図。
【図９】実施の形態に係る、表示装置を説明する図。
【図１０】実施の形態に係る、表示装置を説明する図。
【図１１】実施の形態に係る、表示装置を説明する図。
【図１２】実施の形態に係る、表示装置を説明する図。
【図１３】実施の形態に係る、表示装置を説明する図。
【図１４】実施の形態に係る、表示装置を説明する図。
【図１５】実施の形態に係る、表示装置を説明する図。
【図１６】実施の形態に係る、表示パネルを説明する図。
【図１７】実施の形態に係る、表示パネルを説明する図。
【図１８】実施の形態に係る、表示パネルの位置関係を説明する図。
【図１９】実施の形態に係る、表示パネルを説明する図。
【図２０】実施の形態に係る、表示装置を説明する図。
【図２１】実施の形態に係る、タッチパネルを説明する図。
【図２２】実施の形態に係る、タッチパネルを説明する図。
【図２３】実施の形態に係る、タッチパネルを説明する図。
【図２４】実施の形態に係る、タッチパネルを説明する図。
【図２５】実施の形態に係る、タッチパネルを説明する図。
【図２６】実施の形態に係る、タッチパネルを説明する図。
【図２７】実施の形態に係る、タッチパネルを説明する図。
【図２８】実施の形態に係る、タッチパネルを説明する図。
【図２９】実施の形態に係る、タッチパネルを説明する図。
【図３０】実施の形態に係る、タッチパネルを説明する図。
【図３１】電子機器および照明装置の一例を説明する図。
【図３２】電子機器の一例を説明する図。
【図３３】電子機器の一例を説明する図。
【図３４】電子機器の一例を説明する図。
【発明を実施するための形態】
【００２２】
実施の形態について、図面を用いて詳細に説明する。但し、本発明は以下の説明に限定
されず、本発明の趣旨及びその範囲から逸脱することなくその形態及び詳細を様々に変更
し得ることは当業者であれば容易に理解される。従って、本発明は以下に示す実施の形態
の記載内容に限定して解釈されるものではない。
【００２３】
なお、以下に説明する発明の構成において、同一部分又は同様な機能を有する部分には
同一の符号を異なる図面間で共通して用い、その繰り返しの説明は省略する。また、同様
の機能を指す場合には、ハッチパターンを同じくし、特に符号を付さない場合がある。
【００２４】
なお、本明細書で説明する各図において、各構成の大きさ、層の厚さ、または領域は、
明瞭化のために誇張されている場合がある。よって、必ずしもそのスケールに限定されな
い。
【００２５】
なお、本明細書等における「第１」、「第２」等の序数詞は、構成要素の混同を避ける
ために付すものであり、数的に限定するものではない。
【００２６】
トランジスタは半導体素子の一種であり、電流や電圧の増幅や、導通または非導通を制
御するスイッチング動作などを実現することができる。本明細書におけるトランジスタは
、ＩＧＦＥＴ（Ｉｎｓｕｌａｔｅｄ  Ｇａｔｅ  Ｆｉｅｌｄ  Ｅｆｆｅｃｔ  Ｔｒａｎｓ
ｉｓｔｏｒ）や薄膜トランジスタ（ＴＦＴ：Ｔｈｉｎ  Ｆｉｌｍ  Ｔｒａｎｓｉｓｔｏｒ
）を含む。
【００２７】
（実施の形態１）
本実施の形態では、本発明の一態様の表示装置について、図面を参照して説明する。
【００２８】
［構成例］
図１（Ａ）（Ｂ）に、本発明の一態様の表示装置２００の構成の例を示している。表示
装置２００は、複数の表示パネル１００と、軸部２０１と、回転機構２０２と、軸受部２
０３と、を有する。
【００２９】
複数の表示パネル１００は、可撓性を有している。また隣接する２つの表示パネル１０
０は、それらの一部が互いに重なるように設けられている。
【００３０】
表示装置２００は、図１（Ａ）に示すように複数の表示パネル１００が軸部２０１に巻
き取られた形態と、図１（Ｂ）に示すように複数の表示パネル１００が吊り下がった状態
とに変形することができる。図１（Ｂ）では、表示装置２００が縦３枚、横４枚の合計１
２枚の表示パネル１００を有している構成を示している。
【００３１】
表示装置２００は、使用する場合には複数の表示パネル１００が吊り下がった状態とす
ることで、大画面で画像や動画を表示することができる。一方、使用しない場合には複数
の表示パネル１００が巻き取られた状態とすることで、コンパクトに収納することが可能
となる。また、複数の表示パネル１００の引き出し量を調整することで、使用状況に応じ
て任意のサイズで画像を表示することもできるため、汎用性に優れた表示装置２００とも
いえる。
【００３２】
例えば、大画面で映像を表示することのできる装置のひとつに、白色のスクリーンに映
像を投影するプロジェクタ等の投影型の映像装置（以下、プロジェクタと表記する）があ
る。投影型の映像装置では、スクリーンとプロジェクタ本体の２つが必要となる。また、
スクリーンに大きな映像を表示する場合には、プロジェクタ本体とスクリーンとの距離を
数ｍ（代表的には２ｍ以上５ｍ以下）離す必要があるため、一般家庭や狭い部屋などには
不向きである。また、投影型の映像装置の場合、周囲の明るさが明るい場合には、スクリ
ーンからの反射光の影響により表示される映像のコントラストが低下してしまうといった
問題がある。また、スクリーンとプロジェクタ本体との位置関係によっては、映像が歪ん
でしまう場合もある。
【００３３】
しかしながら、本発明の一態様の表示装置２００は、それ単体で画像や映像を表示する
ことが可能であるため、スペースに限りのある一般家庭などに好適に設置することができ
る。また、映像が歪むことがなく、周囲の明るさによってコントラストが低下するといっ
た問題はほとんど生じないため、極めて高い表示品位で映像や画像を表示することができ
る。また投影型の映像装置で必要であったランプ等の光源を用いないため、消費電力を低
減できるほか、発熱による危険性がなく、また光源を交換する必要もない。そのため本発
明の一態様の表示装置２００は低いランニングコストと、高い信頼性が両立された表示装
置であるともいえる。
【００３４】
それぞれの表示パネル１００の厚さは、例えば１０μｍ以上５ｍｍ以下、好ましくは２
０μｍ以上４ｍｍ以下、より好ましくは３０μｍ以上３ｍｍ以下、代表的には４０μｍ以
上１ｍｍ以下の厚さとすることができる。表示パネル１００の厚さが薄いほど表示パネル
１００を巻き取った時の表示装置２００のサイズをコンパクトにできる。一方、厚さが薄
すぎると風などの影響を受けやすくなり、また表示パネル１００の機械的強度が低下して
しまう恐れがある。例えば表示パネル１００に可撓性を有する保護シート等を貼り付け、
総厚を０．５ｍｍ以上５ｍｍ以下程度の適度な厚さを有することで、表示パネル１００を
吊り下げた状態でもその表示面が波打ってしまうなどの不具合を抑制できる。
【００３５】
また、表示パネル１００を極めて薄くすることや、表示パネル１００に可撓性を有する
部材を用いること等により、その重量を極めて小さくすることが可能となる。例えば表示
面の面積が１００ｃｍ２あたりの表示パネル１００の重さを、０．１ｇ以上５０ｇ以下、
好ましくは０．１ｇ以上３０ｇ以下、より好ましくは０．１ｇ以上１０ｇ以下、より好ま
しくは０．１ｇ以上５ｇ以下とすることができる。
【００３６】
なお上述した表示パネル１００の重量は、表示パネル１００単体（画像を表示させる最
低限の機能を実現する部分。例えば素子等が形成された一対の基板）の重量であってもよ
いし、またはこれに加えて表示パネル１００の強度を確保するための部材（シート、フレ
ーム等）や、表示パネル１００に電気的に接続するＦＰＣ（Ｆｌｅｘｉｂｌｅ  Ｐｒｉｎ
ｔｅｄ  Ｃｉｒｃｕｉｔ）、配線、コネクタなどの重量を含んでいる場合もある。このよ
うな軽量な表示パネル１００を用いることで、表示装置２００の重量を上述した投影型の
表示装置に用いるスクリーンの重量と同等、またはこれよりも軽量にすることが可能とな
る。
【００３７】
表示パネル１００は、表示領域１０１を有する。表示領域１０１には画像を表示するこ
とができる。また表示パネル１００は、表示領域１０１の輪郭に沿った一部の領域に、透
明部１１０を有している。
【００３８】
隣接する２枚の表示パネル１００のうち表示面側に位置する表示パネル１００は、その
透明部１１０が、他方の表示パネル１００の表示領域１０１と重なるように配置されてい
る。
【００３９】
図１（Ｂ）に示す例では、横方向に並ぶ２つの表示パネル１００のうち、表示面側に位
置する表示パネルの透明部１１０が、他方の表示パネル１００の表示領域１０１の一部と
重ねて設けられている。また縦方向に並ぶ２つの表示パネル１００においても同様である
。なお、図１（Ｂ）等では、縦方向に並ぶ各列の表示パネル１００において、軸部２０１
に最も近い表示パネル１００が、最も表示面側に位置する構成の例を示しているが、この
積層順は特に限られない。
【００４０】
２枚の表示パネル１００が重なる部分において、表示面側とは反対側に位置する表示パ
ネル１００の表示領域１０１に表示される画像は、表示面側に位置する表示パネル１００
の透明部１１０を介して視認することができる。そのため１つの画像を複数の表示パネル
１００に亘って表示できるだけでなく、隣接する表示パネル１００間の継ぎ目が存在しな
いため、大きな画像を高い表示品位で表示することのできる表示装置２００を実現できる
。ここで、表示装置２００の表示領域１０３を、図１（Ｂ）中に破線で囲って示している
。
【００４１】
表示装置２００に、比較的小型の表示パネル１００を複数用いることにより、高い歩留
りを実現できる。また、例えば１種類の表示パネル１００を作製しても、表示パネル１０
０の数や配置方法を変えることにより、表示領域のサイズの異なる様々な表示装置を容易
に作製することが可能となる。そのため、製品の種類を充実させることや、顧客それぞれ
のニーズに合わせた少量生産に応じることも容易となる。また、表示パネル１００を含む
ユニットごとにメーカが販売し、これを用いてユーザが自由に表示領域の大きさや形など
をカスタマイズすることも可能となる。
【００４２】
表示装置２００の表示領域１０３の画素数（画面解像度ともいう）は、各表示パネル１
００の表示領域の画素数のうち、表示に寄与する部分の画素数を足し合わせたものとなる
。ここで、表示領域１０３を所定の画素数とするために、隣接する２つの表示パネル１０
０のうち、表示面側とは反対側の表示パネル１００の表示領域の一部を、表示面側の表示
パネル１００の表示領域で覆うことで、表示領域１０３の画素数を調整してもよい。こう
することで、ユーザの要望や、規格に沿った画素数の表示領域１０３を有する表示装置２
００を実現できる。
【００４３】
なおここでは、複数の表示パネル１００を用いて、大きな表示領域を有する表示装置２
００を構成する例を示しているが、図１（Ａ）等に示すよりも大きな表示領域を有する１
枚の表示パネル１００を用いることもできる。１枚の表示パネル１００を用いることで、
例えば複数の表示パネル１００を接続する継ぎ目がないことにより巻き取ったときの径の
大きさを均一にすることができる。
【００４４】
軸部２０１は、表示パネル１００の一端を固定する機能を有する。図１（Ｂ）では、表
示パネル１００を縦３枚、横４枚の１２枚の表示パネル１００を配列した場合を示してい
る。このとき軸部２０１は、軸部２０１側の４つの表示パネル１００の端部を固定する。
【００４５】
また、軸部２０１には、各表示パネル１００と電気的に接続するＦＰＣ等の一部が配置
される。ここで、軸部２０１内に当該ＦＰＣと電気的に接続するコネクタや配線等が設け
られていることが好ましい。さらに、軸部２０１は、各表示パネル１００に信号や電圧を
供給する回路を備えていることが好ましい。このほか、軸部２０１内にアンテナ、無線受
信機、無線送信機、電源供給線、バッテリ、演算装置や記憶装置などのＩＣが実装された
プリント基板（回路基板）、外部接続ポートなどのうち、１以上を有する構成としてもよ
い。
【００４６】
ここで、軸部２０１の直径が小さいほど、複数の表示パネル１００を巻き取ったときの
直径を小さくすることができ、よりコンパクトに表示パネル１００を収納することができ
る。軸部２０１の直径は、各表示パネル１００を曲げる際に許容される曲率に応じて決定
すればよい。例えば、軸部２０１の直径を、０．１ｍｍ以上５０ｍｍ以下、好ましくは０
．５ｍｍ以上３０ｍｍ以下、より好ましくは１ｍｍ以上２０ｍｍ以下、より好ましくは２
ｍｍ以上１０ｍｍ以下とすることができる。軸部２０１の直径を０．１ｍｍ以上とするこ
とで、表示パネル１００の重量によって軸部２０１がたわんでしまうことを抑制できる。
また軸部２０１の直径を５０ｍｍ以下とすることで、表示パネル１００を収納した際の表
示装置２００の大きさを十分にコンパクトにすることができる。
【００４７】
回転機構２０２は、軸部２０１を回転させる機能を有する。軸受部２０３は、軸部２０
１を支える機能を有する。図１（Ａ）（Ｂ）等に示す構成の例では、軸部２０１の一端が
回転機構２０２により支持され、他端が軸受部２０３によって支持されている例を示して
いる。なお、軸受部２０３も軸部２０１を回転させる機能を有していてもよく、その場合
には回転機構２０２と軸受部２０３とが同期して動作するようにすればよい。
【００４８】
表示装置２００は、回転機構２０２によって、軸部２０１の回転量を調整することによ
り、複数の表示パネル１００が引き出された領域、すなわち表示に寄与する表示領域１０
３の長さを適宜調整することができる。
【００４９】
回転機構２０２は、例えばモータ等の動力と歯車などの組み合わせにより、軸部２０１
を回転させる構成とすればよい。また、このとき回転機構２０２に赤外線等の受信機を設
け、リモートコントローラ等を用いて使用者が操作できる構成とすると、表示装置２００
を天井や壁などの高い位置などに設置した場合には好適である。
【００５０】
または、使用者が手動で軸部２０１を回転させる構成としてもよい。図２（Ａ）には、
回転機構２０２に紐状のコード２１１を設けた場合の例を示している。紐状のコード２１
１を操作することにより、軸部２０１を回転させて複数の表示パネル１００を引き出す、
または巻き取るといった動作をすることができる。
【００５１】
また、図２（Ｂ）では、最も端に位置する複数の表示パネル１００の端部に沿ってバー
２１２を設け、バー２１２に紐状のコード２１３を設けた場合の例を示している。このと
き、回転機構２０２は複数の表示パネル１００の引き出し量に応じて、段階的に軸部２０
１の回転が止まる機構を有していることが好ましい。また複数の表示パネル１００を完全
に引き出したあとに、コード２１３を操作すると複数の表示パネル１００が巻き取られる
ように軸部２０１を回転させる機構を有していることが好ましい。ここで、バー２１２は
複数の表示パネル１００を引き出した状態でカールしてしまうことを抑制するための重り
としても機能させることができる。
【００５２】
回転機構２０２と軸部２０１との間には、軸部２０１内のＦＰＣ等に電力や信号を供給
するための配線が設けられていることが好ましい。
【００５３】
このとき、当該配線が軸部２０１を回転させたときに生じるねじれによって断線してし
まうことのないように、十分に長い配線、またはあらかじめ回転の向きとは反対向きにね
じりが加えられた配線など、ねじりに対する対策が施された配線を用いることが好ましい
。
【００５４】
または、回転機構２０２と軸部２０１との接合部に、回転しても内部を通る配線の電気
的な接続が断たれない機構を有することが好ましい。例えば水銀やガリウム等の液体金属
を用いた回転コネクタ（ロータリーコネクタ）や、ブラシ状の電極が適用されたスリップ
リング等を用いることができる。回転コネクタを用いると、摩耗による問題が抑制できる
ため好ましい。
【００５５】
または、回転機構２０２と軸部２０１との間で、無線で信号や電力の伝達を行い、配線
を設けない、または配線の数を減らす構成としてもよい。例えば、回転機構２０２に無線
送信機を設け、軸部２０１内に無線受信機を設けることにより、無線で信号の伝達を行う
構成としてもよい。また回転機構２０２と軸部２０１との間で、非接触給電を用いて電力
を伝達する機構を設けてもよい。こうすることで、配線の断線などの不具合が起こる危険
性を無くすことができ、信頼性の高いものとすることができる。または、回転機構２０２
からではなく、他の機器から直接軸部２０１に信号や電力を供給してもよい。
【００５６】
また、上述した軸部２０１内のＦＰＣ等に電力や信号を供給するための機構を軸受部２
０３が有していてもよい。
【００５７】
回転機構２０２や軸受部２０３は、軸部２０１に信号や電圧を供給する回路を備えてい
ることが好ましい。このほか、回転機構２０２や軸受部２０３内にアンテナ、無線受信機
、無線送信機、電源供給線、バッテリ、演算装置や記憶装置などのＩＣが実装されたプリ
ント基板（回路基板）、外部接続ポートなどのうち、１以上を有する構成としてもよい。
【００５８】
なお、図１（Ａ）（Ｂ）では、複数の表示パネル１００の表示面が外側になるように軸
部２０１に巻き取られる構成を示したが、図１（Ｃ）に示すように、表示領域１０１が内
側になるように軸部２０１に巻き取られる構成としてもよい。このような構成とすること
で、収納された状態において表示パネル１００の表示面が他の部材と接触してしまうこと
が抑制できる。
【００５９】
図３（Ａ）には、複数の表示パネル１００を引き出した状態の表示装置２００を、裏側
（表示面とは反対側）から見たときの一例を示している。
【００６０】
各表示パネル１００には、ＦＰＣ１０４が電気的に接続されている。軸部２０１から離
れている表示パネル１００に電気的に接続するＦＰＣ１０４は、当該表示パネル１００よ
りも軸部２０１側に位置する他の表示パネル１００の裏面側に沿って配置され、軸部２０
１に電気的に接続されている。言い換えると、ＦＰＣ１０４は隣接する表示パネル１００
の表示面とは反対側に位置する部分を有する。
【００６１】
また、図３（Ａ）に示すように、複数のＦＰＣ１０４同士が重ならないように、各々の
ＦＰＣ１０４の形状や配置方法を工夫することが好ましい。ＦＰＣ１０４同士が重ならな
いことで、これらの間でノイズが伝達することを抑制し、表示装置２００の表示品位を保
つことができる。
【００６２】
また、ＦＰＣ１０４からのノイズが、当該ＦＰＣ１０４と重なる表示パネル１００に伝
達してしまう場合がある。これを抑制するため、少なくともＦＰＣ１０４と表示パネル１
００とが重なる部分に、導電性の部材を挟むことが好ましい。例えば、表示パネル１００
の裏面側、またはＦＰＣ１０４の表示パネル１００側の面に導電膜を形成する、または導
電性のフィルムを貼り付けるなどすればよい。また当該導電膜や導電性のフィルムの表面
に絶縁膜を形成する、または絶縁性のフィルムを貼り付けるなどし、表面を絶縁化するこ
とがより好ましい。
【００６３】
またＦＰＣ１０４と、これと重なる表示パネル１００とは、それぞれの相対的な位置を
固定するために、接着されていることが好ましい。これらが固定されることで、複数の表
示パネル１００を巻き取る、または引き出す動作によってＦＰＣ１０４が引っ張られる、
またはねじれる等により、ＦＰＣ１０４の接点（圧着部）に応力がかかり、電気的な接続
が断たれてしまうことを抑制できる。このとき、ＦＰＣ１０４と表示パネル１００とをテ
ープ等で貼り付けてもよいし、両面に粘着性の材料を有するシートで貼り合わされていて
もよい。このようなシートの粘着性の材料にシリコーン樹脂等のゲル状の材料を用いると
、表示パネル１００を巻き取るときにＦＰＣ１０４と表示パネル１００とが相対的にずれ
てしわが寄ることを抑制できるため好ましい。また、このようなシートとして、電磁波を
吸収する機能を有するシートを用いると、上述したノイズの影響を抑制することもできる
。
【００６４】
また図３（Ｂ）に示すように、ＦＰＣ１０４や表示パネル１００の裏面側を保護するた
め、可撓性を有する保護部材１０５を複数の表示パネル１００の全体に亘って設けること
が好ましい。保護部材１０５に用いる材料としては、プラスチックのほか、金属、合金、
紙、ゴム、天然繊維または合成繊維などの布等が一例として挙げられる。または可撓性を
有する程度に薄いガラスなどを用いてもよい。保護部材１０５に色彩を施すなどし、遮光
性を有する構成とすると、ＦＰＣ１０４等が視認されず、また意匠性を高めることができ
る。
【００６５】
以上が構成例についての説明である。
【００６６】
［適用例］
以下では、本発明の一態様の表示装置を適用する例について説明する。
【００６７】
図４（Ａ）に、室内の壁２２１に、本発明の一態様の表示装置２００を設置した例を示
す。
【００６８】
図４（Ａ）では、表示装置２００が有する回転機構２０２（図示しない）と連動したコ
ード２１１を有する構成を示している。コード２１１を操作することにより、表示装置２
００の表示パネルを巻き取った状態と、表示パネルを引き出した状態とに変形することが
できる。
【００６９】
また、表示装置２００の上部には、軸部２０１、回転機構２０２、及び軸受部２０３等
（図示しない）を収納するカバー２２２が設けられ、表示パネルを巻き取った状態で収納
することができる。図４（Ｂ）には、表示装置２００の表示パネルをカバー２２２内に収
納した状態を示す。表示装置２００を使用しないときには、図４（Ｂ）に示すようにカバ
ー２２２により表示パネルが巻き取られた状態の表示装置２００全体が隠され、よりすっ
きりとしたインテリアを実現できる。
【００７０】
また、図４（Ａ）（Ｂ）には、本発明の一態様の表示装置２００を有するテーブル２３
０を示している。図４（Ｃ）（Ｄ）には、テーブル２３０の断面概略図を示す。
【００７１】
テーブル２３０は、筐体２３１の内部に表示装置２００を有する。また筐体２３１の上
面には透光性のカバー２３２を有する。カバー２３２には、ガラスやプラスチックなどを
用いればよい。図４（Ｃ）に示すように、表示装置２００の表示面が平面である状態のと
き、カバー２３２を介して表示面に表示される画像を見ることができる。また、表示装置
２００を使用しない場合には、図４（Ｄ）に示すようにカバー２３２に覆われた部分より
も外側に表示装置２００の表示パネルを巻き取った状態で収納することで、通常のテーブ
ルとして用いることができる。
【００７２】
図５（Ａ）（Ｂ）には、本発明の一態様の表示装置２００が適用された、持ち運び可能
な表示機器２４０の例を示している。表示機器２４０は、表示装置２００、筐体２４１、
バー２４２、フレーム２４３、及び脚部２４４を有している。図５（Ａ）は使用状態を示
し、図５（Ｂ）は折り畳んだ状態を示している。
【００７３】
筐体２４１の内部には、軸部２０１、回転機構２０２、及び軸受部２０３等（図示しな
い）が設けられている。
【００７４】
バー２４２は、最も端に位置する複数の表示パネル１００の端部に沿って設けられてい
る。バー２４２を筐体２４１側から上方に引き上げることで、表示パネルを筐体２４１か
ら引き出すことができる。また、表示パネルを引き上げた状態でバー２４２とフレーム２
４３とを固定することができる。
【００７５】
筐体２４１とフレーム２４３とは、互いが平行である状態から９０°回転した状態へと
回転可能に固定されている。またフレーム２４３には、折り畳み可能な脚部２４４が取り
付けられている。このような構成とすることで、図５（Ｂ）に示すように表示機器２４０
をコンパクトに折り畳むことが可能となる。そのため、持ち運ぶときには高い携帯性を有
し、且つ使用する際には大画面で表示することが可能である。
【００７６】
なお、筐体２４１とフレーム２４３とが脱着可能な構成としてもよい。例えば使用する
場合にはフレーム２４３に筐体２４１が固定され、使用しない場合には、これらを分離し
てケース等に収納する構成としてもよい。
【００７７】
またフレーム２４３及び脚部２４４のいずれか一方、または両方が、伸縮する機能を有
していてもよい。フレーム２４３が伸縮することにより、表示領域の高さを調整すること
ができる。また、収納する際によりコンパクトな形態とすることができる。
【００７８】
なお、ここでは筐体２４１を下側に配置し、バー２４２を引き上げて用いる例を示した
が、反対に筐体２４１を上側に配置し、バー２４２を引き下げて用いてもよい。また筐体
２４１とバー２４２とが縦向きになるようにし、横方向にバー２４２を引っ張る構成とし
てもよい。
【００７９】
また、筐体２４１内にバッテリを有する構成とすることが好ましい。その場合には、屋
外や広いホールなど、建屋からの電源を使用できない場所であっても使用することが可能
となる。
【００８０】
ここで、壁２２１やテーブル２３０、表示機器２４０等に適用される表示装置２００は
、映像を受信する機能を有していることが好ましい。例えば、テレビジョン放送受信機（
チューナー）を内蔵し、テレビジョン放送を表示面に表示してもよい。またＤＶＤ等の記
憶媒体の再生装置との接続端子を有し、当該記憶媒体に記録された映像を表示してもよい
。また、ＵＳＢ（Ｕｎｉｖｅｒｓａｌ  Ｓｅｒｉａｌ  Ｂｕｓ）端子、映像端子などの端
子、若しくは有線または無線のＬＡＮ（Ｌｏｃａｌ  Ａｒｅａ  Ｎｅｔｗｏｒｋ）などの
ネットワークを介してインターネット上の画像または映像を表示する構成としてもよいし
、これら端子やネットワークを介してコンピュータや携帯情報端末等と接続可能な構成と
し、これらから出力される映像を表示する構成としてもよい。
【００８１】
以上が適用例についての説明である。
【００８２】
ここで、上述した構成において、画像等を表示可能な表示パネル１００を発光パネルに
置き換えることにより、表示装置２００を照明装置として用いることもできる。可撓性を
有する発光パネルとしては、可撓性を有する基板に有機ＥＬ素子等の発光素子が形成され
た構成を用いることができる。
【００８３】
本実施の形態は、少なくともその一部を本明細書中に記載する他の実施の形態と適宜組
み合わせて実施することができる。
【００８４】
（実施の形態２）
本実施の形態では、実施の形態１で例示した表示装置を適用可能な、本発明の一態様の
表示システムの構成例について、図面を参照して説明する。
【００８５】
大型の表示装置を実現する手段の一つとして、複数の表示パネルをタイル状に並べ、複
数の表示装置の表示領域を一つの表示画面として用いる方法がある。
【００８６】
表示パネルをタイル状に並べて固定した大型の表示装置において、保存環境の温湿度の
変化による膨張または収縮や、使用により繰り返し外力がかかることによって、表示パネ
ル同士の相対的な位置関係が変化する場合がある。
【００８７】
以下では、表示システムを構成する複数の表示パネル同士の相対的な位置関係の変化に
合わせて表示を補正する構成例を示す。または、大型化に適した表示システムの構成例を
示す。または、表示ムラの抑制された表示システムの構成例を示す。または、一覧性に優
れた電子機器の構成例を示す。または、可搬性に優れた電子機器の構成例を示す。
【００８８】
本発明の一態様の表示システムは、第１の表示領域を有する第１の表示パネルと、第２
の表示領域を有する第２の表示パネルと、検出手段と、補正手段とを備える。第１の表示
領域上に第２の表示領域の一部が重なる。検出手段は第１の表示領域と第２の表示領域が
重なる第１の領域の大きさを検出する機能を有する。補正手段は、第１の領域の大きさの
変化に基づいて、第１の表示領域の表示を補正する機能を有する。
【００８９】
また、補正手段は第１の領域の大きさの変化に基づいて、第１の表示領域および第２の
表示領域の表示を補正する機能を有していてもよい。
【００９０】
図６（Ａ）は、表示システム１０の構成例を示すブロック図である。ブロック図におけ
る矢印は、情報または信号が伝達する方向を示す。
【００９１】
図６（Ａ）に示す表示システム１０は、表示パネル２０ａ、表示パネル２０ｂ、検出手
段３１、及び補正手段３２を有する。
【００９２】
まず、表示システム１０が有する表示装置２０の構成例について図７を用いて説明する
。
【００９３】
図７（Ａ１）乃至（Ｃ２）に、表示システム１０が有する表示装置２０の上面模式図を
示す。表示装置２０は、表示パネル２０ａと、表示パネル２０ｂとを備える。表示パネル
２０ａは表示領域２１ａを有する。また表示パネル２０ｂは表示領域２１ｂおよび透明部
２２ｂを有する。また透明部２２ｂは可視光を透過する領域を含む。本実施の形態では表
示パネル２０ａと表示パネル２０ｂは、表示パネル２０ｂが透明部２２ｂを有する点を除
いて同様の構成としているが、これに限られない。表示パネル２０ａを表示パネル２０ｂ
と同様の構成とする、すなわち表示パネル２０ａにも表示パネル２０ｂと同様の透明部を
設けることで、表示装置２０の作製における量産性を高めることができる。
【００９４】
表示領域２１ａおよび表示領域２１ｂは、マトリクス状に配置された複数の画素を含み
、画像を表示することができる。各画素には一つ以上の表示素子が設けられている。表示
素子としては、たとえば有機ＥＬ素子などの発光素子、または液晶素子等を用いることが
できる。表示領域２１ａおよび表示領域２１ｂは、可視光を透過しない領域を含む。
【００９５】
表示パネル２０ａの表示領域２１ａ以外の領域には、例えば表示領域２１ａに含まれる
画素に電気的に接続する配線が設けられている。また、このような配線に加えて、走査線
駆動回路や信号線駆動回路等の画素を駆動するための駆動回路が設けられていてもよい。
表示パネル２０ｂの表示領域２１ｂ、透明部２２ｂ以外の領域についても同様である。な
お図７（Ａ１）乃至（Ｃ２）では、表示パネル２０ａおよび表示パネル２０ｂと外部の装
置等とを電気的に接続するＦＰＣ（Ｆｌｅｘｉｂｌｅ  Ｐｒｉｎｔｅｄ  Ｃｉｒｃｕｉｔ
）は省略している。
【００９６】
表示パネル２０ａおよび表示パネル２０ｂの厚さが薄いと、表示領域２１ａと表示領域
２１ｂとの継ぎ目を視認されにくくすることができるため好ましい。また表示パネル２０
ａおよび表示パネル２０ｂが可撓性を有することで、表示装置２０をロール状に収納する
ことができ、可搬性に優れた表示装置とすることができるため好ましい。
【００９７】
図７（Ａ１）は、表示装置２０における表示パネル２０ａおよび表示パネル２０ｂの初
期の位置関係を示している。また図７（Ａ２）は、表示領域２１ａおよび表示領域２１ｂ
が、一つの表示画像１５を表示している状態を示している。表示装置２０は表示領域２１
ａと表示領域２１ｂとでそれぞれ別の画像を表示することができ、また図７（Ａ２）に示
すように一つの画像を表示することもできる。なお、図７（Ａ２）における破線は、表示
領域２１ａと表示領域２１ｂの境界を示している。
【００９８】
図７（Ａ１）において、表示パネル２０ａ上に表示パネル２０ｂの一部が重なっている
。表示領域２１ｂと隣接して透明部２２ｂが位置するため、表示面側から見て表示領域２
１ａと表示領域２１ｂとを隙間なく並べることで、表示装置２０が継ぎ目のない大画面の
表示を行うことができる。
【００９９】
領域１１は、表示領域２１ａ上に表示領域２１ｂが重なる部分である。
【０１００】
続いて、表示システム１０が有する各構成の機能について説明する。
【０１０１】
たとえば表示装置２０をロール状に収納する場合、使用する際に巻かれた状態の表示装
置２０を図７（Ｂ１）の矢印の方向に広げると、該矢印の方向に外力がかかる。また表示
装置２０を把持することで同様の外力がかかる場合がある。これらの外力が繰り返し表示
装置に作用することで、表示パネル２０ａと表示パネル２０ｂとの位置関係が図７（Ｂ１
）のように変化することがある。表示装置２０が領域１１を有することで、上記のような
位置関係が生じた場合にも、表示領域２１ａと表示領域２１ｂとの間に隙間が発生するこ
とを抑制することができる。
【０１０２】
また表示システム１０は、表示装置２０が使用する表示領域の大きさが変化した場合に
、該変化を検知する検出手段３１と、該変化に応じた表示の補正を行える補正手段３２を
有する。すなわち表示システム１０によって、表示装置２０が使用する表示領域の大きさ
が変化しても変化前と同様の表示を継続して行うことができるため、本発明の一態様の表
示システムは信頼性の高い表示を行うことができる。たとえば表示装置２０の保存環境の
温度や湿度の変化によって表示パネル２０ａと表示パネル２０ｂとの位置関係が変化して
も、本発明の一態様によって表示装置２０は変化前と同様の表示を継続して行うことがで
きる。
【０１０３】
表示領域２１ａのうち領域１１と重なる部分を非表示とすることで、表示装置２０の消
費電力を削減することができる。また、透明部２２ｂが可視光の一部を吸収または反射す
る場合には、透明部２２ｂと重なる表示領域２１ａの表示画像の表示が暗くなってしまう
ことがある。表示領域２１ａのうち透明部２２ｂと重なる部分の表示輝度を該部分の周辺
よりも高くすることで、表示装置２０は継ぎ目がなく表示ムラが視認されにくい表示画像
１５を表示することができる。
【０１０４】
図７（Ｂ１）は、表示パネル２０ａおよび表示パネル２０ｂの位置関係が、図７（Ａ１
）の状態から２つのパネルが隣接する方向（図７（Ｂ１）におけるＸ軸方向）に変化した
場合の表示装置２０の上面模式図である。図７（Ａ１）における領域１１は、図７（Ｂ１
）では領域１１Ａとなり、表示領域２１ａ上に重なる表示領域２１ｂの大きさが小さくな
っている。また、透明部２２ｂと重なる表示領域２１ａの位置が変化している。
【０１０５】
検出手段３１（図示しない）は、領域１１の大きさの変化を検出し、また補正手段３２
（図示しない）は、領域１１の大きさの変化に基づいて表示領域２１ａまたは／および表
示領域２１ｂの表示を補正する。
【０１０６】
図７（Ａ１）から図７（Ｂ１）のように表示パネル２０ａおよび表示パネル２０ｂの位
置関係が変化した場合の表示の補正内容は、具体的には以下の通りである。図７（Ａ１）
の状態で非発光としていた表示領域２１ａの一部分（領域１１）のうち、図７（Ｂ１）に
おいて表示領域２１ｂと重ならなくなった部分（領域１１から領域１１Ａを除いた部分）
を発光部とする。また、図７（Ａ１）の状態で周辺よりも明るくしていた表示領域２１ａ
の一部分（図７（Ａ１）において透明部２２ｂと重なっていた部分）を周辺と同じ表示輝
度とし、図７（Ｂ１）で新たに透明部２２ｂと重なった表示領域２１ａの一部分の表示輝
度を高くする。そして表示領域２１ａおよび表示領域２１ｂの発光させる部分の全体に合
わせて、表示画像１５の大きさおよびアスペクト比を変更する。
【０１０７】
すなわち、表示領域２１ａまたは／および表示領域２１ｂにおける発光部および非発光
部の領域を変更すること、該発光部のうち表示輝度を変更する領域と該領域の表示輝度を
決定すること、および表示装置が表示する画像の大きさおよびアスペクト比を変更するこ
とが、補正手段３２が生成する補正内容に含まれる。
【０１０８】
以上のような補正内容の信号を補正手段３２が生成し、表示パネル２０ａおよび表示パ
ネル２０ｂに該信号を送信することで、表示システム１０は表示装置２０において、表示
パネル２０ａと表示パネル２０ｂの位置関係が変化しても継ぎ目のないなめらかな画像を
表示することができる（図７（Ｂ２）参照）。図７（Ｂ２）には、表示装置２０が表示画
像１５から大きさおよびアスペクト比が変更された表示画像１５Ａを表示している状態を
示している。
【０１０９】
図７（Ｃ１）は、表示パネル２０ａおよび表示パネル２０ｂの位置関係が、図７（Ａ１
）の状態から２つのパネルが隣接する方向と直交する方向（図７（Ｃ１）におけるＹ軸方
向）に変化した場合の表示装置２０の上面模式図を示す。図７（Ａ１）における領域１１
は、図７（Ｃ１）では領域１１Ｂとなり、表示領域２１ａ上に重なる表示領域２１ｂの大
きさが小さくなっている。さらに、同一直線上に位置していた表示領域２１ａの辺と表示
領域２１ｂの辺がずれるように位置関係が変化している。また、透明部２２ｂと重なる表
示領域２１ａの位置が変化している。
【０１１０】
検出手段３１は、領域１１の大きさの変化を検出し、また補正手段３２は、領域１１の
大きさの変化に基づいて表示領域２１ａまたは／および表示領域２１ｂの表示を補正する
。
【０１１１】
図７（Ａ１）から図７（Ｃ１）のように表示パネル２０ａおよび表示パネル２０ｂの位
置関係が変化した場合の表示の補正内容は、具体的には以下の通りである。まず図７（Ａ
１）の状態で非発光としていた表示領域２１ａの一部分（領域１１）のうち、図７（Ｃ１
）において表示領域２１ｂと重ならなくなった部分（領域１１から領域１１Ｂを除いた部
分）を発光部とする。また、図７（Ａ１）の状態で周辺よりも明るくしていた表示領域２
１ａの一部分（図７（Ａ１）において透明部２２ｂと重なっていた部分）を周辺と同じ表
示輝度とし、図７（Ｂ１）で新たに透明部２２ｂと重なった部分の表示輝度を高くする。
そして表示領域２１ａおよび表示領域２１ｂが構成する表示領域のうち最も大きな矩形を
含む部分を発光部とし、該発光部に合わせて表示画像１５の大きさやアスペクト比を変更
する。最後に表示領域２１ａおよび表示領域２１ｂのうち、該矩形に含まれない部分を非
発光部とする。
【０１１２】
以上のような補正内容の信号を補正手段３２が生成し、表示パネル２０ａおよび表示パ
ネル２０ｂに該信号を送信することで、表示システム１０は表示装置２０において、表示
パネル２０ａと表示パネル２０ｂの位置関係が変化しても継ぎ目のないなめらかな画像を
表示することができる（図７（Ｃ２）参照）。図７（Ｃ２）には、表示装置２０が表示画
像１５から大きさおよびアスペクト比が変更された表示画像１５Ｂを表示している状態を
示している。
【０１１３】
続いて、表示システム１０の構成例について図６（Ａ）乃至（Ｄ）を用いて説明する。
【０１１４】
なお、ブロック図において枠で囲まれている要素は、少なくとも互いに電気的に接続さ
れていることを示し、一つの筐体内に含まれている場合も含む。
【０１１５】
図６（Ａ）は、表示システム１０において、表示パネル２０ａ、表示パネル２０ｂ、検
出手段３１、補正手段３２がそれぞれ別の筐体に含まれている例を示している。また、図
６（Ｂ）に示すように、表示パネル２０ａおよび表示パネル２０ｂを一つの筐体に収納し
て表示装置２０としてもよい。なお、表示パネル２０ａおよび表示パネル２０ｂを一つの
筐体に収納せずに表示装置２０としてもよい。
【０１１６】
検出手段３１は、表示パネル２０ａおよび表示パネル２０ｂの位置関係に関する情報、
具体的には図７（Ａ１）等で示した領域１１の大きさを検出する機能を有する。検出手段
３１としては、たとえばデジタルカメラ、ＣＣＤ（Ｃｈａｒｇｅ  Ｃｏｕｐｌｅｄ  Ｄｅ
ｖｉｃｅ）カメラ、またはイメージスキャナなどの撮像装置を用いることができる。この
ような撮像装置によって表示装置２０の表示を撮像し、取得した映像または画像を位置情
報として補正手段３２に出力すればよい。
【０１１７】
また、図６（Ｃ）に示すように検出手段が表示パネルに含まれるような構成としてもよ
い。表示パネルに含まれる検出手段３１ａおよび検出手段３１ｂとしては、たとえば光電
変換素子や、光電変換素子および光電変換素子を駆動する撮像画素回路を含む撮像画素が
挙げられる。
【０１１８】
図７（Ａ１）において、表示領域２１ａのうち表示領域２１ｂが重なる領域１１に含ま
れる画素には、表示領域２１ｂによって外光が遮られる。また表示領域２１ａの領域１１
を除いた領域に含まれる画素には、外光が入射する。表示領域２１ａに配置された画素が
検出手段３１ａとして撮像画素を有することで、撮像画素が有する光電変換素子が外光を
検知し、領域１１の大きさの変化を精密に検知することができる。また表示領域２１ａ上
に透明部２２ｂが重なる部分では、表示領域２１ａに配置された画素に入射する外光の一
部が透明部２２ｂに吸収される場合がある。よって、光電変換素子が検知する外光の強さ
に応じて、表示領域２１ａに配置された画素の表示輝度を調整することができる。なお、
撮像画素を備えたタッチパネルの具体的な構成については後述する。
【０１１９】
補正手段３２は、検出手段３１が検知した位置情報を受け取る機能と、該位置情報の変
化に基づいて表示パネル２０ａおよび／または表示パネル２０ｂの表示を補正する信号（
以下、補正信号ともいう）を生成する機能と、補正信号を表示パネル２０ａおよび／また
は表示パネル２０ｂに送信する機能を有する。補正信号を生成する装置としては、たとえ
ばＧＰＵ（画像演算装置）やＣＰＵ（中央演算装置）などの演算装置が挙げられる。また
は、上述した補正内容をコンピュータに実行させるプログラムが格納された記憶装置と、
当該プログラムを実行可能なコンピュータを用いてもよい。
【０１２０】
補正手段３２は、図６（Ａ）乃至（Ｃ）に示すように表示パネルや検出手段と独立に存
在していてもよいし、図６（Ｄ）に示すように表示システム１０内で表示パネルや検出手
段と電気的または／および物理的に接続されていてもよい。また、補正手段３２が情報を
受け取る方法、および信号を送信する方法は、有線であってもよく、無線でもよい。
【０１２１】
［変形例１］
以下では、図７（Ａ１）乃至（Ｃ２）で示した表示装置２０と一部の構成が異なる表示
装置について説明する。
【０１２２】
図８（Ａ１）乃至（Ｃ２）に、表示システム１０が有する表示装置２５の上面模式図を
示す。なお、表示装置２５において、表示装置２０と共通する構成については表示装置２
０の説明を援用できる。
【０１２３】
表示装置２５は、表示パネル２５ａと、表示パネル２５ｂとを備える。表示パネル２５
ａは表示領域２１ａおよび予備表示領域２３ａを有する。また表示パネル２５ｂは表示領
域２１ｂ、透明部２２ｂおよび予備表示領域２３ｂを有する。なお、表示パネル２５ｂに
は予備表示領域２３ｂが設けられていなくてもよい。
【０１２４】
予備表示領域２３ａおよび予備表示領域２３ｂは、マトリクス状に配置された複数の画
素を含み、画像を表示することができる。各画素には一つ以上の表示素子が設けられてい
る。予備表示領域２３ａおよび予備表示領域２３ｂは、表示装置２５の初期状態において
は非表示とすることができる。また検出手段３１は、領域１１の大きさの変化に基づいて
予備表示領域２３ａの一部および／または予備表示領域２３ｂの一部を表示させる機能を
有する。
【０１２５】
予備表示領域は、表示領域の辺に隣接する位置に設けることができる。図８（Ａ１）で
は予備表示領域２３ｂは、表示領域２１ｂの３辺に隣接するように配置している。なお、
本実施の形態では予備表示領域２３ａは、予備表示領域２３ｂと同様に表示領域２１ａの
３辺に設ける構成としているが、表示領域２１ａを囲むように配置してもよい。たとえば
、表示パネル２５ａと表示パネル２５ｂの初期の位置関係において、表示領域２１ｂが上
に重なる部分（図８（Ａ１）における領域１１）の表示領域２１ａを予備表示領域２３ａ
とすることで、表示装置２５の消費電力を削減することができる。
【０１２６】
表示パネルに設ける予備表示領域の大きさは、想定される表示パネル２５ａと表示パネ
ル２５ｂとの相対的な位置変化の大きさに応じて決めることができる。具体的には、表示
パネルを構成する基板等の材料の熱膨張係数等を考慮すればよい。また、表示パネル２５
ａと表示パネル２５ｂの相対的な位置関係を変化させて使用する場合は、使用者が想定す
る用途等に応じて予備表示領域の大きさを決めることができる。また、図８（Ａ１）乃至
（Ｃ２）に示した上面模式図において、予備表示領域２３ａおよび予備表示領域２３ｂは
説明のためにその大きさを誇張して示している。
【０１２７】
予備表示領域の幅方向の長さを、５０μｍ以上５０ｍｍ以下、好ましくは１００μｍ以
上３０ｍｍ以下、より好ましくは５００μｍ以上２０ｍｍ以下の範囲とすることができる
。または、予備表示領域の幅方向に含まれる画素の数を、１画素以上１００画素以下、好
ましくは５画素以上８０画素以下、より好ましくは５画素以上５０画素以下に設定するこ
とができる。
【０１２８】
例えば、表示パネル２５ａの表示領域全体（表示領域２１ａおよび予備表示領域２３ａ
を含んだ領域）が対角１３．５インチ、制御可能な画素数（表示領域２１ａおよび予備表
示領域２３ａを含んだ画素数）が２５６０×１４４０であるとする。この場合、予備表示
領域２３ａは該表示領域全体の各辺から２５画素分、すなわち予備表示領域２３ａの幅の
長さが約５ｍｍとなるように設ければよい。
【０１２９】
図８（Ａ１）は、表示装置２５における表示パネル２５ａおよび表示パネル２５ｂの初
期の位置関係を示している。また図８（Ａ２）は、表示領域２１ａおよび表示領域２１ｂ
が、一つの表示画像１５を表示している状態を示している。表示装置２５の初期状態にお
いては、予備表示領域２３ａおよび予備表示領域２３ｂは非発光となっている（図８（Ａ
２）参照）。
【０１３０】
図８（Ｂ１）は、表示パネル２５ａおよび表示パネル２５ｂの位置関係が、２つのパネ
ルが隣接する方向（図８（Ｂ１）におけるＸ軸方向）に変化した場合の表示装置２５の上
面模式図である。図８（Ａ１）における領域１１は、図８（Ｂ１）では領域１１Ｃとなり
、表示領域２１ａ上に重なる表示領域２１ｂの大きさがＸ軸方向に大きくなっている。ま
た、透明部２２ｂと重なる表示領域２１ａの位置が変化している。
【０１３１】
検出手段３１は領域１１の大きさの変化を検出し、また補正手段３２は、領域１１の大
きさの変化に基づいて表示領域２１ａまたは／および表示領域２１ｂの表示を補正する。
【０１３２】
図８（Ａ１）から図８（Ｂ１）のように表示パネル２５ａおよび表示パネル２５ｂの位
置関係が変化した場合に補正手段３２が生成する表示の補正内容は、図７（Ａ１）から図
７（Ｂ１）のように表示パネル２０ａおよび表示パネル２０ｂの位置関係が変化した場合
と比較して以下の点が異なる。
【０１３３】
補正手段３２は、表示パネル２５ａと表示パネル２５ｂの位置関係が変化した場合に、
初期に表示していた表示画像１５の大きさやアスペクト比を変更することなく継続して表
示が行えるように表示パネルの表示領域および予備表示領域における発光部および非発光
部の領域を変更する。すなわち、位置変化の前後で表示装置２０が表示に要する画素数（
有効画素数ともいう）が変わらないようにすることができる。
【０１３４】
図８（Ａ１）の状態から図８（Ｂ１）の状態に表示装置２５が変化した場合、表示装置
２５の表示領域の大きさはＸ軸方向に小さくなる。よって、小さくなった分に応じて予備
表示領域２３ａおよび／または予備表示領域２３ｂの一部を発光部とすることで、表示装
置２５は図８（Ｂ１）の状態においても図８（Ａ２）と大きさおよびアスペクト比が等し
い表示画像１５を表示することができる（図８（Ｂ２）参照）。
【０１３５】
表示パネル２５ａおよび表示パネル２５ｂが、表示装置２５の表示領域を囲むように予
備表示領域２３ａおよび予備表示領域２３ｂを有することで、補正手段３２の上記のよう
な補正が可能となる。たとえば表示装置２５の保存環境の温度や湿度の変化によって表示
パネル２５ａと表示パネル２５ｂとの位置関係が変化しても、本発明の一態様の表示シス
テム１０によって、表示装置２５は同じ表示を継続して行うことができる。よって、本発
明の一態様の表示システムは信頼性の高い表示を行うことができる。
【０１３６】
図８（Ｃ１）は、表示パネル２５ａおよび表示パネル２５ｂの位置関係が、図８（Ｂ１
）の状態からさらに２つのパネルが隣接する方向と直交する方向（図８（Ｃ１）における
Ｙ軸方向）に変化した場合の表示装置２５の上面模式図を示す。図８（Ｂ１）における領
域１１Ｃは、図８（Ｃ１）では領域１１Ｄとなり、表示領域２１ａ上に重なる表示領域２
１ｂの大きさがＹ軸方向に小さくなっている。さらに、同一直線上に位置していた表示領
域２１ａの辺と表示領域２１ｂの辺がずれるように位置関係が変化している。
【０１３７】
図８（Ｂ１）の状態から図８（Ｃ１）の状態に表示装置２５が変化した場合、表示装置
２５の表示領域の輪郭は矩形から八角形に変化する。よって補正手段３２は、変化前の表
示領域のアスペクト比および有効画素数と一致するように、表示領域２１ａおよび表示領
域２１ｂのそれぞれＹ軸方向に隣接する予備表示領域２３ａおよび予備表示領域２３ｂを
発光部とする補正内容を生成する。このような補正を行うことで、表示装置２５は図８（
Ｃ１）の状態においても図８（Ａ２）と大きさおよびアスペクト比が等しい表示画像１５
を表示することができる（図８（Ｃ２）参照）。
【０１３８】
［適用例１］
本発明の一態様の表示装置３５は、複数の表示パネル３６が表示領域の継ぎ目がないよ
うに配置された構成を有している。ここで、各表示パネル３６が有する表示領域の一部を
使用することで、表示装置３５の表示領域３７を任意の形状に変形することができる。一
の表示パネル３６は、表示領域に隣接して透明部３８を有する。
【０１３９】
図９（Ａ）は、各々の表示パネル３６の表示領域の全域に画像を表示させ、大きな表示
領域３７を形成している場合を示している。一方、図９（Ｂ）では、各表示パネル３６が
有する表示領域の一部に画像を表示させることにより、表示装置３５の表示領域３７を扇
状の形状とした場合を示している。ここで、表示装置３５の扇状の表示領域３７よりも外
側の領域は、非表示領域３９となる。
【０１４０】
表示領域３７の内側に位置する表示パネル３６は、その表示領域全域に画像の一部が表
示される。非表示領域３９の内側に位置する表示パネル３６は、その表示領域に画像が表
示されない。表示領域３７と非表示領域３９の間に位置する表示パネル３６は、その表示
領域の一部に画像が表示される。
【０１４１】
このような構成とすることで、各表示パネル３６として同様のパネルを用いたとしても
、任意の形状の表示領域３７を形成することが可能となる。すなわち、特定の形状の表示
領域３７を形成するために、設計やプロセス等を変更する必要がなく、共通の表示パネル
を用いて任意の形状の表示領域３７を有する表示装置を実現できる。
【０１４２】
ここで、任意の形状の表示領域３７を形成するには、各表示パネル３６の表示領域の一
部を駆動させて画像を表示させればよい。このとき、各表示パネル３６の表示領域の他の
一部を駆動させず、画像を表示しないように表示パネル３６を駆動させればよい。
【０１４３】
さらに、表示装置３５と、検出手段と、補正手段と、を有するシステムとすることが好
ましい。より具体的には、各表示パネル３６に表示される画像が継ぎ目なく連結されるよ
うに、このずれを補正する機能を有する補正手段を有することが好ましい。また、当該画
像のずれを検出する検出手段を有し、当該検出手段から補正手段に、当該ずれの情報を出
力可能な構成とすることが好ましい。
【０１４４】
［適用例２］
図１０（Ａ）に、本発明の一態様の表示装置４０が有する表示パネル４５の上面概略図
を示す。表示パネル４５は、表示領域４１、透明部４２および予備表示領域４３を有する
。透明部４２は表示領域４１の３辺に隣接するように設けられている。
【０１４５】
予備表示領域４３は、表示パネル４５の初期状態において非発光となっている。表示領
域４１は、予備表示領域４３としても機能することができる。また予備表示領域４３は、
表示領域４１としても機能することができる。すなわち、表示パネル４５は図１０（Ａ）
に示す予備表示領域４３の輪郭の内側の領域において、表示領域４１の領域を任意の形状
に設定することができる。表示領域４１および予備表示領域４３の領域の設定は、補正手
段３２が生成する補正内容に含むことができる。
【０１４６】
図１０（Ｂ）は、図１０（Ａ）に示した表示パネル４５を２つ有する表示装置４０の上
面模式図であり、表示パネル４５ａの上に表示パネル４５ｂが重なっている。予備表示領
域４３ｂは、表示パネル４５ｂの初期状態では非発光となっているが、表示領域４１ａと
重なる領域４４を発光部とすることで、表示装置４０の表示領域に隙間のないなめらかな
表示画像４６を表示させることができる（図１０（Ｃ）参照）。
【０１４７】
表示パネル４５ａの表示面と表示パネル４５ｂの表示面と反対側の面とを、相対位置が
変化しないように接着してもよく、また着脱可能に固定してもよい。表示パネル４５ａと
表示パネル４５ｂを着脱可能に固定することで、表示パネルの交換を容易に行うことがで
きる。着脱可能に固定する方法として、例えば吸着性を有するフィルムを用いることがで
きる。吸着性を有するフィルムは、被着体と該フィルムとの間の空気を除去し、低圧また
は真空状態を作り出すことで被着体に吸着する機能を有する。また、着脱可能に固定する
方法として、粘着性を有するフィルムを用いてもよい。
【０１４８】
表示パネル４５ａと表示パネル４５ｂとの位置関係を変化させた場合にも、すなわち領
域４４の大きさが変化した場合に、本発明の一態様の表示システム１０が有する検出手段
３１および補正手段３２によって、表示装置４０は表示領域に隙間のないなめらかな表示
を継続して行うことができる。また、補正手段３２が表示パネル４５ａおよび表示パネル
４５ｂの表示領域（４１ａ、４１ｂ）および予備表示領域（４３ａ、４３ｂ）の領域を自
由に変更する機能を有することで、表示装置４０は任意の形状の表示領域において表示を
行うことができる。
【０１４９】
図１０（Ｄ）に、５つの表示パネル４５（表示パネル４５ａ乃至４５ｅ）を有する表示
装置４８の上面模式図を示す。表示パネル４５の表示領域４１の領域を図１０（Ａ）から
変更することで、たとえば図１０（Ｄ）に示すように円状の表示領域４１Ａを構成するこ
とができる。また、図１０（Ｅ）に示すようにドーナツ状の表示領域４１Ｂを構成するこ
ともできる。なお、図１０（Ｄ）および図１０（Ｅ）において、表示パネル４５ａ乃至４
５ｅの透明部および予備表示領域は省略している。
【０１５０】
また、表示パネル４５を複数組み合わせることで、表示システム１０は楕円状や多角形
状など、その他平坦面が可能な任意の形状の表示領域を構成することができる。また、平
坦面に限られず、正四面体形状や正六面体形状などの多面体形状、円錐状や球状などの曲
面を有する立体形状の表面に継ぎ目のない表示領域を構成してもよい。図１０（Ｆ）に、
正六面体形状の表示領域４１Ｃを有する表示装置４９の斜視模式図を示す。
【０１５１】
例えば、本明細書等において、表示素子、表示素子を有する装置である表示装置、発光
素子、及び発光素子を有する装置である発光装置は、様々な形態を用いること、又は様々
な素子を有することが出来る。表示素子、表示装置、発光素子又は発光装置は、例えば、
ＥＬ（エレクトロルミネッセンス）素子（有機物及び無機物を含むＥＬ素子、有機ＥＬ素
子、無機ＥＬ素子）、ＬＥＤ（白色ＬＥＤ、赤色ＬＥＤ、緑色ＬＥＤ、青色ＬＥＤなど）
、トランジスタ（電流に応じて発光するトランジスタ）、電子放出素子、液晶素子、電子
インク、電気泳動素子、グレーティングライトバルブ（ＧＬＶ）、プラズマディスプレイ
（ＰＤＰ）、ＭＥＭＳ（マイクロ・エレクトロ・メカニカル・システム）を用いた表示素
子、デジタルマイクロミラーデバイス（ＤＭＤ）、ＤＭＳ（デジタル・マイクロ・シャッ
ター）、ＭＩＲＡＳＯＬ（登録商標）、ＩＭＯＤ（インターフェアレンス・モジュレーシ
ョン）素子、シャッター方式のＭＥＭＳ表示素子、光干渉方式のＭＥＭＳ表示素子、エレ
クトロウェッティング素子、圧電セラミックディスプレイ、カーボンナノチューブを用い
た表示素子などの少なくとも一つを有している。これらの他にも、電気的または磁気的作
用により、コントラスト、輝度、反射率、透過率などが変化する表示媒体を有していても
よい。ＥＬ素子を用いた表示装置の一例としては、ＥＬディスプレイなどがある。電子放
出素子を用いた表示装置の一例としては、フィールドエミッションディスプレイ（ＦＥＤ
）又はＳＥＤ方式平面型ディスプレイ（ＳＥＤ：Ｓｕｒｆａｃｅ−ｃｏｎｄｕｃｔｉｏｎ
Ｅｌｅｃｔｒｏｎ−ｅｍｉｔｔｅｒ  Ｄｉｓｐｌａｙ）などがある。液晶素子を用いた
表示装置の一例としては、液晶ディスプレイ（透過型液晶ディスプレイ、半透過型液晶デ
ィスプレイ、反射型液晶ディスプレイ、直視型液晶ディスプレイ、投射型液晶ディスプレ
イ）などがある。電子インク、電子粉流体（登録商標）、又は電気泳動素子を用いた表示
装置の一例としては、電子ペーパーなどがある。なお、半透過型液晶ディスプレイや反射
型液晶ディスプレイを実現する場合には、画素電極の一部、または、全部が、反射電極と
しての機能を有するようにすればよい。例えば、画素電極の一部、または、全部が、アル
ミニウム、銀、などを有するようにすればよい。さらに、その場合、反射電極の下に、Ｓ
ＲＡＭなどの記憶回路を設けることも可能である。これにより、さらに、消費電力を低減
することができる。なお、ＬＥＤを用いる場合、ＬＥＤの電極や窒化物半導体の下に、グ
ラフェンやグラファイトを配置してもよい。グラフェンやグラファイトは、複数の層を重
ねて、多層膜としてもよい。このように、グラフェンやグラファイトを設けることにより
、その上に、窒化物半導体、例えば、結晶を有するｎ型ＧａＮ半導体層などを容易に成膜
することができる。さらに、その上に、結晶を有するｐ型ＧａＮ半導体層などを設けて、
ＬＥＤを構成することができる。なお、グラフェンやグラファイトと、結晶を有するｎ型
ＧａＮ半導体層との間に、ＡｌＮ層を設けてもよい。なお、ＬＥＤが有するＧａＮ半導体
層は、ＭＯＣＶＤで成膜してもよい。ただし、グラフェンを設けることにより、ＬＥＤが
有するＧａＮ半導体層は、スパッタ法で成膜することも可能である。
【０１５２】
例えば、本明細書等において、画素に能動素子を有するアクティブマトリクス方式、ま
たは、画素に能動素子を有しないパッシブマトリクス方式を用いることが出来る。
【０１５３】
アクティブマトリクス方式では、能動素子（アクティブ素子、非線形素子）として、ト
ランジスタだけでなく、さまざまな能動素子（アクティブ素子、非線形素子）を用いるこ
とが出来る。例えば、ＭＩＭ（Ｍｅｔａｌ  Ｉｎｓｕｌａｔｏｒ  Ｍｅｔａｌ）、又はＴ
ＦＤ（Ｔｈｉｎ  Ｆｉｌｍ  Ｄｉｏｄｅ）などを用いることも可能である。これらの素子
は、製造工程が少ないため、製造コストの低減、又は歩留まりの向上を図ることができる
。または、これらの素子は、素子のサイズが小さいため、開口率を向上させることができ
、低消費電力化や高輝度化をはかることが出来る。
【０１５４】
アクティブマトリクス方式以外のものとして、能動素子（アクティブ素子、非線形素子
）を用いないパッシブマトリクス型を用いることも可能である。能動素子（アクティブ素
子、非線形素子）を用いないため、製造工程が少ないため、製造コストの低減、又は歩留
まりの向上を図ることができる。または、能動素子（アクティブ素子、非線形素子）を用
いないため、開口率を向上させることができ、低消費電力化、又は高輝度化などを図るこ
とが出来る。
【０１５５】
なお、ここでは、表示パネルを用いて、様々な表示を行う場合の例を示したが、本発明
の一態様は、これに限定されない。例えば、情報を表示しないようにしてもよい。一例と
しては、表示パネルのかわりに、照明装置として用いてもよい。照明装置に適用すること
により、デザイン性に優れたインテリアとして、活用することができる。または、様々な
方向を照らすことができる照明として活用することが出来る。または、表示パネルのかわ
りに、バックライトやフロントライトなどの光源として用いてもよい。つまり、表示パネ
ルのための照明装置として活用してもよい。
【０１５６】
本実施の形態は、少なくともその一部を本明細書中に記載する他の実施の形態と適宜組
み合わせて実施することができる。
【０１５７】
（実施の形態３）
本実施の形態では、本発明の一態様の表示装置の構成例、及び応用例について、図面を
参照して説明する。
【０１５８】
［構成例１］
図１１（Ａ）は、本発明の一態様の表示装置に含まれる表示パネル１００の上面概略図
である。
【０１５９】
表示パネル１００は表示領域１０１と、表示領域１０１に隣接して、可視光を透過する
透明部１１０と、可視光を遮光する領域１２０と、を備える。また、図１１（Ａ）では、
表示パネル１００にＦＰＣ１１２が設けられている例を示す。
【０１６０】
表示領域１０１は、マトリクス状に配置された複数の画素を含み、画像を表示すること
が可能である。各画素には一つ以上の表示素子が設けられている。表示素子としては、代
表的には有機ＥＬ素子などの発光素子、または液晶素子等を用いることができる。
【０１６１】
透明部１１０には、例えば表示パネル１００を構成する一対の基板、及び当該一対の基
板に挟持された表示素子を封止するための封止材などが設けられていてもよい。このとき
、透明部１１０に設けられる部材には、可視光に対して透光性を有する材料を用いる。
【０１６２】
領域１２０には、例えば表示領域１０１に含まれる画素に電気的に接続する配線が設け
られている。また、このような配線に加え、画素を駆動するための駆動回路（走査線駆動
回路、信号線駆動回路等）が設けられていてもよい。また、領域１２０にはＦＰＣ１１２
と電気的に接続する端子（接続端子ともいう）や、当該端子と電気的に接続する配線等が
設けられている領域を含む。
【０１６３】
本発明の一態様の表示装置５０は、上述した表示パネル１００を複数備える。図１１（
Ｂ）では、３つの表示パネルを備える表示装置５０の上面概略図を示す。
【０１６４】
なお、以降では各々の表示パネル同士、各々の表示パネルに含まれる構成要素同士、ま
たは各々の表示パネルに関連する構成要素同士を区別するために、符号の後にアルファベ
ットを付記して説明する。また特に説明のない場合には、最も下側（表示面側とは反対側
）に配置される表示パネルまたは構成要素に対して「ａ」を付記し、その上側に順に配置
される一以上の表示パネルおよびその構成要素に対しては、符号の後に「ｂ」以降のアル
ファベットをアルファベット順に付記することとする。また特に説明のない限り、複数の
表示パネルを備える構成を説明する場合であっても、各々の表示パネルまたは構成要素に
共通する事項を説明する場合には、アルファベットを省略して説明する。
【０１６５】
図１１（Ｂ）に示す表示装置５０は、表示パネル１００ａ、表示パネル１００ｂ、及び
表示パネル１００ｃを備える。
【０１６６】
表示パネル１００ｂは、その一部が表示パネル１００ａの上側（表示面側）に重ねて配
置されている。具体的には、表示パネル１００ａの表示領域１０１ａの一部と表示パネル
１００ｂの可視光を透過する透明部１１０ｂとが重畳し、且つ、表示パネル１００ａの表
示領域１０１ａと表示パネル１００ｂの可視光を遮光する領域１２０ｂとが重畳しないよ
うに配置されている。
【０１６７】
また、表示パネル１００ｃは、その一部が表示パネル１００ｂの上側（表示面側）に重
ねて配置されている。具体的には、表示パネル１００ｂの表示領域１０１ｂの一部と表示
パネル１００ｃの可視光を透過する透明部１１０ｃとが重畳し、且つ、表示パネル１００
ｂの表示領域１０１ｂと表示パネル１００ｃの可視光を遮光する領域１２０ｃとが重畳し
ないように配置されている。
【０１６８】
表示領域１０１ａ上には透明部１１０ｂが重畳するため、表示領域１０１ａの全体を表
示面側から視認することが可能となる。同様に、表示領域１０１ｂも透明部１１０ｃが重
畳することでその全体を表示面側から視認することができる。したがって、表示領域１０
１ａ、表示領域１０１ｂおよび表示領域１０１ｃが継ぎ目なく配置された領域（図１１（
Ｂ）中の破線で囲った領域）を表示装置５０の表示領域５１とすることが可能となる。
【０１６９】
ここで、図１１（Ａ）に示す透明部１１０の幅Ｗは、０．５ｍｍ以上１５０ｍｍ以下、
好ましくは１ｍｍ以上１００ｍｍ以下、より好ましくは２ｍｍ以上５０ｍｍ以下とするこ
とが好ましい。透明部１１０は封止領域としての機能を有するため、透明部１１０の幅Ｗ
が大きいほど表示パネル１００の端面と表示領域１０１との距離を長くすることができ、
外部から水などの不純物が表示領域１０１にまで侵入することを効果的に抑制することが
可能となる。特に本構成例では表示領域１０１に隣接して透明部１１０が設けられるため
、透明部１１０の幅Ｗを適切な値に設定することが重要である。例えば、表示素子として
有機ＥＬ素子を用いた場合には透明部１１０の幅Ｗを１ｍｍ以上とすることで、有機ＥＬ
素子の劣化を効果的に抑制することができる。なお、透明部１１０ではない他の部分にお
いても、表示領域１０１の端部と表示パネル１００の端面との距離が上述の範囲になるよ
うに設定することが好ましい。
【０１７０】
［構成例２］
図１１（Ｂ）では一方向に複数の表示パネル１００を重ねて配置する構成を示したが、
縦方向および横方向の二方向に複数の表示パネル１００を重ねて配置してもよい。
【０１７１】
図１２（Ａ）は、図１１（Ａ）とは透明部１１０の形状が異なる表示パネル１００の例
を示している。図１２（Ａ）に示す表示パネル１００は、表示領域１０１の隣接する２辺
に沿って透明部１１０が配置されている。
【０１７２】
図１２（Ｂ）には、図１２（Ａ）に示した表示パネル１００を縦２つ、横２つ配置した
表示装置５０の斜視概略図を示している。また図１２（Ｃ）は、表示装置５０の表示面側
とは反対側から見たときの斜視概略図である。
【０１７３】
図１２（Ｂ）、（Ｃ）において、表示パネル１００ａの表示領域１０１ａの短辺に沿っ
た領域と、表示パネル１００ｂの透明部１１０ｂの一部が重畳して設けられている。また
表示パネル１００ａの表示領域１０１ａの長辺に沿った領域と、表示パネル１００ｃの透
明部１１０ｃの一部が重畳して設けられている。また表示パネル１００ｄの透明部１１０
ｄは、表示パネル１００ｂの表示領域１０１ｂの長辺に沿った領域、及び表示パネル１０
０ｃの表示領域１０１ｃの短辺に沿った領域に重畳して設けられている。
【０１７４】
したがって、図１２（Ｂ）に示すように、表示領域１０１ａ、表示領域１０１ｂ、表示
領域１０１ｃおよび表示領域１０１ｄが継ぎ目なく配置された領域を表示装置５０の表示
領域５１とすることが可能となる。
【０１７５】
ここで、表示パネル１００に用いる一対の基板に可撓性を有する材料を用い、表示パネ
ル１００が可撓性を有していることが好ましい。こうすることで、例えば図１２（Ｂ）、
（Ｃ）中の表示パネル１００ａに示すように、ＦＰＣ１１２ａ等が表示面側に設けられる
場合にＦＰＣ１１２ａが設けられる側の表示パネル１００ａの一部を湾曲させ、ＦＰＣ１
１２ａを隣接する表示パネル１００ｂの表示領域１０１ｂの下側にまで重畳するように配
置することができる。その結果、ＦＰＣ１１２ａを表示パネル１００ｂの裏面と物理的に
干渉することなく配置することができる。また、表示パネル１００ａと表示パネル１００
ｂとを重ねて接着する際に、ＦＰＣ１１２ａの厚さを考慮する必要がないため、表示パネ
ル１００ｂの透明部１１０ｂの上面と、表示パネル１００ａの表示領域１０１ａの上面と
の高さの差を低減できる。その結果、表示領域１０１ａ上に位置する表示パネル１００ｂ
の端部が視認されてしまうことを抑制できる。
【０１７６】
さらに、各表示パネル１００に可撓性を持たせることで、表示パネル１００ｂの表示領
域１０１ｂにおける上面の高さを、表示パネル１００ａの表示領域１０１ａにおける上面
の高さと一致するように、表示パネル１００ｂを緩やかに湾曲させることができる。その
ため、表示パネル１００ａと表示パネル１００ｂとが重畳する領域近傍を除き、各表示領
域の高さを揃えることが可能で、表示装置５０の表示領域５１に表示する画像の表示品位
を高めることができる。
【０１７７】
上記では、表示パネル１００ａと表示パネル１００ｂの関係を例に説明したが、隣接す
る２つの表示パネル間でも同様である。
【０１７８】
また、隣接する２つの表示パネル１００間の段差を軽減するため、表示パネル１００の
厚さは薄いほうが好ましい。例えば表示パネル１００の厚さを１ｍｍ以下、好ましくは３
００μｍ以下、より好ましくは１００μｍ以下とすることが好ましい。
【０１７９】
図１３（Ａ）は、図１２（Ｂ）、（Ｃ）に示す表示装置５０を表示面側から見た上面概
略図である。
【０１８０】
ここで、一つの表示パネル１００の透明部１１０の可視光（例えば４００ｎｍ以上７０
０ｎｍ以下の波長の光を含む光）に対する透過率を十分に高められない場合には、表示領
域１０１と重なる表示パネル１００の枚数に応じて、表示する画像の輝度が低下してしま
う恐れがある。たとえば、図１３（Ａ）中の領域Ａでは、表示パネル１００ａの表示領域
１０１ａ上に１枚の表示パネル１００ｃが重畳している。また、領域Ｂでは、表示パネル
１００ｂの表示領域１０１ｂ上に、表示パネル１００ｃ、１００ｄの計２枚の表示パネル
１００が重なっている。そして領域Ｃでは、表示パネル１００ａの表示領域１０１ａ上に
表示パネル１００ｂ、表示パネル１００ｃおよび表示パネル１００ｄの計３枚の表示パネ
ル１００が重畳している。
【０１８１】
このような場合に、表示領域１０１上に重ねられる表示パネル１００の枚数に応じて、
画素の階調を局所的に高めるような補正を、表示させる画像データに対して施すことが好
ましい。こうすることで、表示装置５０の表示領域５１に表示される画像の表示品位の低
下を抑制することが可能となる。
【０１８２】
また、上部に配置する表示パネル１００の位置をずらすことで、下部の表示パネル１０
０の表示領域１０１上に重なる表示パネル１００の枚数を低減することもできる。
【０１８３】
図１３（Ｂ）では、表示パネル１００ａおよび表示パネル１００ｂ上に配置する表示パ
ネル１００ｃおよび表示パネル１００ｄを一方向（Ｘ方向）に透明部１１０の幅Ｗの距離
だけ相対的にずらして配置した場合を示している。このとき、一つの表示パネル１００の
表示領域１０１上に一つの表示パネル１００が重ねられた領域Ｄと、２つの表示パネル１
００が重ねられた領域Ｅの２種類が存在する。
【０１８４】
なお、表示パネルをＸ方向に対して直交する方向（Ｙ方向）にずらして配置してもよい
。
【０１８５】
なお、上部に位置する表示パネル１００を相対的にずらして配置する場合には、各表示
パネル１００の表示領域１０１を組み合わせた領域の輪郭が矩形形状とは異なる形状とな
る。そのため、図１３（Ｂ）で示すように表示装置５０の表示領域５１を矩形にする場合
には、これよりも外側に位置する表示パネル１００の表示領域１０１に画像を表示しない
ように駆動すればよい。このとき、画像を表示しない領域における画素の数を考慮し、表
示領域５１の全画素数を表示パネル１００の枚数で割った数よりも多くの画素を、表示パ
ネル１００の表示領域１０１に設ければよい。
【０１８６】
なお、上記では、各々の表示パネル１００を相対的にずらす場合の距離を、透明部１１
０の幅Ｗの整数倍としたがこれに限られず、表示パネル１００の形状やこれを組み合わせ
た表示装置５０の表示領域５１の形状などを考慮して適宜設定すればよい。
【０１８７】
［断面構成例］
図１４（Ａ）は、２つの表示パネル１００を貼り合せた際の断面概略図である。図１１
（Ａ）では、ＦＰＣ１１２ａが表示パネル１００ａの表示面側に、またＦＰＣ１１２ｂが
表示パネル１００ｂの表示面側に、それぞれ接続されている構成を示している。
【０１８８】
また、図１４（Ｂ）に示すように、ＦＰＣ１１２ａおよびＦＰＣ１１２ｂが表示パネル
１００ａまたは表示パネル１００ｂの表示面側とは反対側に接続される構成としてもよい
。このような構成とすることで、下側に配置される表示パネル１００ａの端部を表示パネ
ル１００ｂの裏面に貼り付けることが可能なため、これらの接着面積を大きくでき、貼り
合せ部分の機械的強度を高めることができる。
【０１８９】
また、図１４（Ｃ）および図１４（Ｄ）に示すように、表示パネル１００ａおよび表示
パネル１００ｂの上面を覆って、透光性を有する樹脂層１３１を設ける構成としてもよい
。具体的には、表示パネル１００ａおよび表示パネル１００ｂの各々の表示領域と、表示
パネル１００ａと表示パネル１００ｂとが重畳する領域とを覆って、樹脂層１３１を設け
ることが好ましい。
【０１９０】
樹脂層１３１を複数の表示パネル１００に亘って設けることで、表示装置５０の機械的
強度を高めることができる。また、樹脂層１３１の表面が平坦になるように形成すると、
表示領域５１に表示される画像の表示品位を高めることができる。例えば、スリットコー
タ、カーテンコータ、グラビアコータ、ロールコータ、スピンコータなどのコーティング
装置を用いると、平坦性の高い樹脂層１３１を形成することができる。
【０１９１】
また樹脂層１３１は、表示パネル１００の表示面側に用いる基板との屈折率の差が２０
％以下、好ましくは１０％以下、より好ましくは５％以下であることが好ましい。このよ
うな屈折率を有する樹脂層１３１を用いることで、表示パネル１００と樹脂との屈折率段
差を低減し、光を効率よく外部に取り出すことができる。また、このような屈折率を有す
る樹脂層１３１を表示パネル１００ａと表示パネル１００ｂとの段差部を覆うように設け
ることで、当該段差部が視認しにくくなるため、表示装置５０の表示領域５１に表示され
る画像の表示品位を高めることができる。
【０１９２】
樹脂層１３１に用いる材料としては、例えば、エポキシ樹脂、アラミド樹脂、アクリル
樹脂、ポリイミド樹脂、ポリアミド樹脂、ポリアミドイミド樹脂等の有機樹脂膜を用いる
ことができる。
【０１９３】
また、図１５（Ａ）、（Ｂ）に示すように、樹脂層１３１を介して表示装置５０上に保
護基板１３２を設けることが好ましい。このとき、樹脂層１３１は表示装置５０と保護基
板１３２とを接着する接着層としての機能を有していてもよい。保護基板１３２により、
表示装置５０の表面を保護するだけでなく、表示装置５０の機械的強度を高めることがで
きる。保護基板１３２としては、少なくとも表示領域５１と重なる領域に透光性を有する
材料を用いる。また、保護基板１３２は表示領域５１と重なる領域以外の領域が視認され
ないように、遮光性を備えていてもよい。
【０１９４】
保護基板１３２は、タッチパネルとしての機能を有していてもよい。また表示パネル１
００が可撓性を有し、湾曲可能な場合には、保護基板１３２も同様に可撓性を有している
ことが好ましい。
【０１９５】
また、保護基板１３２は、表示パネル１００の表示面側に用いる基板、または樹脂層１
３１との屈折率の差が２０％以下、好ましくは１０％以下、より好ましくは５％以下であ
ることが好ましい。
【０１９６】
保護基板１３２としては、フィルム状のプラスチック基板、例えば、ポリイミド（ＰＩ
）、アラミド、ポリエチレンテレフタレート（ＰＥＴ）、ポリエーテルスルホン（ＰＥＳ
）、ポリエチレンナフタレート（ＰＥＮ）、ポリカーボネート（ＰＣ）、ナイロン、ポリ
エーテルエーテルケトン（ＰＥＥＫ）、ポリスルホン（ＰＳＦ）、ポリエーテルイミド（
ＰＥＩ）、ポリアリレート（ＰＡＲ）、ポリブチレンテレフタレート（ＰＢＴ）、シリコ
ーン樹脂などのプラスチック基板、またはガラス基板を用いることができる。また、保護
基板１３２は、可撓性を有することが好ましい。また、保護基板１３２は、繊維なども含
み、例えばプリプレグなども含むものとする。また、保護基板１３２は、樹脂フィルムに
限定されず、パルプを連続シート加工した透明な不織布や、フィブロインと呼ばれるたん
ぱく質を含む人工くも糸繊維を含むシートや、これらと樹脂とを混合させた複合体、繊維
幅が４ｎｍ以上１００ｎｍ以下のセルロース繊維からなる不織布と樹脂膜の積層体、人工
くも糸繊維を含むシートと樹脂膜の積層体を用いてもよい。
【０１９７】
また、図１５（Ｃ）、（Ｄ）に示すように、表示パネル１００ａおよび表示パネル１０
０ｂの表示面とは反対側の面に樹脂層１３３と、樹脂層１３３を介して保護基板１３４を
設ける構成としてもよい。このように、表示パネル１００ａおよび表示パネル１００ｂを
２枚の保護基板によって挟む構成とすることで、表示装置５０の機械的強度をさらに高め
ることができる。また樹脂層１３１および樹脂層１３３を同等の厚さとし、保護基板１３
２および保護基板１３４に同一の厚さの材料を用いることで、複数の表示パネル１００を
これら積層体の中央部に配置することができる。例えば表示パネル１００を含む積層体を
湾曲させる際には、表示パネル１００が厚さ方向における中央部に位置することで、湾曲
に伴って表示パネル１００にかかる横方向の応力が緩和され、破損を防止することができ
る。
【０１９８】
また、図１５（Ｃ）、（Ｄ）に示すように、表示パネル１００ａおよび表示パネル１０
０ｂの裏面側に配置される樹脂層１３３および保護基板１３４には、ＦＰＣ１１２ａを取
り出すための開口部を設けることが好ましい。またこのとき、樹脂層１３３をＦＰＣ１１
２ａの一部を覆って設けると、表示パネル１００ａとＦＰＣ１１２ａとの接続部における
機械的強度を高めることができ、ＦＰＣ１１２ａが剥がれてしまうなどの不具合を抑制で
きる。同様に、ＦＰＣ１１２ｂの一部を覆って樹脂層１３３を設けることが好ましい。
【０１９９】
なお、表示面とは反対側に設けられる樹脂層１３３および保護基板１３４は、必ずしも
透光性を有している必要はなく、可視光を吸収または反射する材料を用いてもよい。樹脂
層１３３と樹脂層１３１、または保護基板１３４と保護基板１３２に同一の材料を共通し
て用いると、作製コストを低減することができる。
【０２００】
［表示領域の構成例］
続いて、表示パネル１００の表示領域１０１の構成例について説明する。図１６（Ａ）
は図１２（Ａ）における領域Ｐを拡大した上面概略図であり、図１６（Ｂ）は領域Ｑを拡
大した上面概略図である。
【０２０１】
図１６（Ａ）に示すように、表示領域１０１には複数の画素１４１がマトリクス状に配
置されている。赤、青、緑の３色を用いてフルカラー表示が可能な表示パネル１００とす
る場合では、画素１４１は上記３色のうちいずれかを表示することのできる画素とする。
または上記３色に加えて白や黄色を表示することのできる画素を設けてもよい。画素１４
１を含む領域が表示領域１０１に相当する。
【０２０２】
一つの画素１４１には配線１４２ａおよび配線１４２ｂが電気的に接続されている。複
数の配線１４２ａのそれぞれは配線１４２ｂと交差し、回路１４３ａと電気的に接続され
ている。また複数の配線１４２ｂは回路１４３ｂと電気的に接続されている。回路１４３
ａおよび回路１４３ｂのうち一方が走査線駆動回路として機能する回路であり、他方が信
号線駆動回路として機能する回路とすることができる。なお、回路１４３ａおよび回路１
４３ｂのいずれか一方、または両方を設けない構成としてもよい。
【０２０３】
図１６（Ａ）では、回路１４３ａまたは回路１４３ｂに電気的に接続する複数の配線１
４５が設けられている。配線１４５は、図示しない領域でＦＰＣ１２３と電気的に接続さ
れ、外部からの信号を回路１４３ａおよび回路１４３ｂに供給する機能を有する。
【０２０４】
図１６（Ａ）において、回路１４３ａ、回路１４３ｂ、複数の配線１４５を含む領域が
、可視光を遮光する領域１２０に相当する。
【０２０５】
図１６（Ｂ）において、最も端に設けられる画素１４１よりも外側の領域が可視光を透
過する透明部１１０に相当する。透明部１１０は、画素１４１、配線１４２ａおよび配線
１４２ｂ等の可視光を遮光する部材を有していない。なお、画素１４１の一部、配線１４
２ａまたは配線１４２ｂが可視光に対して透光性を有する場合には、透明部１１０にまで
延在して設けられていてもよい。
【０２０６】
ここで、透明部１１０の幅Ｗは、表示パネル１００に設けられる透明部１１０のうち、
最も狭い幅を指す場合もある。表示パネル１００の幅Ｗが場所によって異なる場合には、
最も短い長さを幅Ｗとすることができる。なお、図１６（Ｂ）では画素１４１から基板の
端面までの距離（すなわち透明部１１０の幅Ｗ）が、図面縦方向と横方向とで同一である
場合を示している。
【０２０７】
図１６（Ｃ）は図１６（Ｂ）中の切断線Ａ１−Ａ２における断面概略図である。表示パ
ネル１００は、それぞれ透光性を有する一対の基板（基板１５１、基板１５２）を有する
。また基板１５１と基板１５２は接着層１５３によって接着されている。ここで、画素１
４１や配線１４２ｂ等が形成されている側の基板を基板１５１とする。
【０２０８】
図１６（Ｂ）、（Ｃ）に示すように、画素１４１が表示領域１０１の最も端に位置する
場合には、可視光を透過する透明部１１０の幅Ｗは、基板１５１または基板１５２の端部
から画素１４１の端部までの長さとなる。
【０２０９】
なお、画素１４１の端部とは、画素１４１に含まれる可視光を遮光する部材のうち、最
も端に位置する部材の端部を指す。または、画素１４１として一対の電極間に発光性の有
機化合物を含む層を備える発光素子（有機ＥＬ素子ともいう）を用いた場合には、画素１
４１の端部は下部電極の端部、発光性の有機化合物を含む層の端部、上部電極の端部のい
ずれかであってもよい。
【０２１０】
図１７（Ａ）には、図１６（Ｂ）に対して、配線１４２ａの位置が異なる場合について
示している。また図１７（Ｂ）は図１７（Ａ）中の切断線Ｂ１−Ｂ２における断面概略図
であり、図１７（Ｃ）は図１７（Ａ）中の切断線Ｃ１−Ｃ２における断面概略図である。
【０２１１】
図１７（Ａ）、（Ｂ）、（Ｃ）に示すように、表示領域１０１の最も端に配線１４２ａ
が位置する場合には、可視光を透過する透明部１１０の幅Ｗは、基板１５１または基板１
５２の端部から配線１４２ａの端部までの長さとなる。なお、配線１４２ａが可視光に対
して透光性を有する場合には、配線１４２ａが設けられる領域は透明部１１０に含まれて
いてもよい。
【０２１２】
ここで、表示パネル１００の表示領域１０１に設けられる画素の密度が高い場合、２つ
の表示パネル１００を貼り合せた場合や、上記実施の形態に示した２つの表示パネル間の
相対的な位置変化があった場合に、画素の配列間隔が不連続となる部分が生じてしまう場
合がある。
【０２１３】
図１８（Ａ）は、下部に設けられる表示パネル１００ａの表示領域１０１ａと、上部に
設けられる表示パネル１００ｂの表示領域１０１ｂとの、表示面側から見たときの位置関
係を示す図である。図１８（Ａ）には表示領域１０１ａおよび表示領域１０１ｂのそれぞ
れの角部近傍を示している。表示領域１０１ａの一部が、透明部１１０ｂによって覆われ
ている。
【０２１４】
図１８（Ａ）に示す例では、隣接する画素１４１ａと画素１４１ｂとが相対的に一方向
（Ｙ方向）にずれた場合を示している。図中に示す矢印は、表示パネル１００ａが表示パ
ネル１００ｂに対してずれた方向を示している。また、図１８（Ｂ）に示す例では、隣接
する画素１４１ａと画素１４１ｂとが相対的に縦方向および横方向（Ｘ方向およびＹ方向
）の両方にずれた場合を示している。
【０２１５】
図１８（Ａ）および図１８（Ｂ）に示す例では、横方向にずれた距離と縦方向にずれた
距離がそれぞれ１画素分よりも小さい。このような場合は、表示領域１０１ａまたは表示
領域１０１ｂのいずれか一方に表示する画像の画像データに対し、当該ずれの距離に応じ
た補正を掛けることで表示品位を保つことが可能となる。具体的には、画素間の距離が小
さくなるずれの場合には画素の階調（輝度）を低くするように補正し、画素間の距離が大
きくなるずれの場合には、画素の階調（輝度）を高めるように補正すればよい。また、１
画素以上重なるようなずれの場合には、下部に位置する画素を駆動しないように画像デー
タを一列分シフトさせるように補正すればよい。
【０２１６】
図１８（Ｃ）では、本来隣接するはずであった画素１４１ａと画素１４１ｂとが、相対
的に一方向（Ｙ方向）に１画素分以上の距離でずれた例を示している。このように、１画
素分の距離以上のずれが生じた場合には、突出した画素（ハッチングを付加した画素）を
表示しないように駆動すればよい。なお、ずれの方向がＸ方向の場合でも同様である。
【０２１７】
なお、複数の表示パネル１００を貼り合せる際には、位置ずれを抑制するように各々の
表示パネル１００に位置合わせのためのマーカー等を設けることが好ましい。または、表
示パネル１００の表面に凸部および凹部を形成し、２つの表示パネル１００が重なる領域
で当該凸部と凹部とをはめ合わせる（嵌合させる）構成としてもよい。
【０２１８】
本実施の形態は、少なくともその一部を本明細書中に記載する他の実施の形態と適宜組
み合わせて実施することができる。
【０２１９】
（実施の形態４）
本実施の形態では、本発明の一態様の表示装置に適用可能な表示パネルの構成例につい
て、図面を用いて説明する。
【０２２０】
本実施の形態では、主に有機ＥＬ素子を用いた表示パネルを例示するが、本発明の一態
様の表示装置に用いることができる表示パネルはこれに限られない。実施の形態１で例示
した、他の発光素子や表示素子を用いた発光パネル又は表示パネルも、本発明の一態様の
表示装置に用いることができる。
【０２２１】
図１９（Ａ）に表示パネルの平面図を示し、図１９（Ａ）における一点鎖線Ｄ１−Ｄ２
間の断面図の一例を図１９（Ｂ）に示す。図１９（Ｂ）には透明部８１０の断面図の一例
も示す。
【０２２２】
構成例１で示す表示パネルは、カラーフィルタ方式を用いたトップエミッション型の表
示パネルである。本実施の形態において、表示パネルは、例えば、Ｒ（赤）、Ｇ（緑）、
Ｂ（青）の３色の副画素で１つの色を表現する構成や、Ｒ、Ｇ、Ｂ、Ｗ（白）の４色の副
画素で１つの色を表現する構成、Ｒ、Ｇ、Ｂ、Ｙ（黄）の４色の副画素で１つの色を表現
する構成等が適用できる。色要素としては特に限定はなく、ＲＧＢＷＹ以外の色を用いて
もよく、例えば、シアンやマゼンタ等を用いてもよい。
【０２２３】
図１９（Ａ）に示す表示パネルは、透明部８１０、表示部８０４、動作回路部８０６、
ＦＰＣ８０８を有する。透明部８１０は、表示部８０４に隣接し、表示部８０４の２辺に
沿って配置されている。動作回路部８０６には、例えば走査線駆動回路や信号線駆動回路
が含まれる。透明部８１０は、可視光を透過する領域を含む。また動作回路部８０６は、
可視光を遮光する領域を含む。
【０２２４】
図１９（Ｂ）に示す表示パネルは、基板７０１、接着層７０３、絶縁層７０５、複数の
トランジスタ、導電層８５７、絶縁層８１５、絶縁層８１６、絶縁層８１７、複数の発光
素子、絶縁層８２１、接着層８２２、着色層８４５、遮光層８４７、絶縁層７１５、接着
層７１３及び基板７１１を有する。接着層８２２、絶縁層７１５、接着層７１３及び基板
７１１は可視光を透過する。表示部８０４及び動作回路部８０６に含まれる発光素子やト
ランジスタは絶縁層７０５、絶縁層７１５、及び接着層８２２によって封止されている。
【０２２５】
表示部８０４は、接着層７０３、及び絶縁層７０５を介して基板７０１上にトランジス
タ８２０及び発光素子８３０を有する。発光素子８３０は、絶縁層８１７上の下部電極８
３１と、下部電極８３１上のＥＬ層８３３と、ＥＬ層８３３上の上部電極８３５と、を有
する。すなわち、発光素子８３０は、下部電極８３１と、上部電極８３５と、下部電極８
３１と上部電極８３５に挟持されたＥＬ層８３３を備える。
【０２２６】
下部電極８３１は、トランジスタ８２０のソース電極又はドレイン電極と電気的に接続
する。下部電極８３１の端部は、絶縁層８２１で覆われている。下部電極８３１は可視光
を反射することが好ましい。上部電極８３５は可視光を透過する。
【０２２７】
また、表示部８０４は、発光素子８３０と重なる着色層８４５と、絶縁層８２１と重な
る遮光層８４７と、を有する。発光素子８３０と着色層８４５の間は接着層８２２で充填
されている。
【０２２８】
絶縁層８１５および絶縁層８１６は、トランジスタを構成する半導体への不純物の拡散
を抑制する効果を奏する。また、絶縁層８１７は、トランジスタ起因の表面凹凸を低減す
るために平坦化機能を有する絶縁層を選択することが好適である。
【０２２９】
なお、表示パネルにおいてトランジスタのない領域には絶縁層８１５または／および絶
縁層８１６を形成しなくてもよい。特に、透明部８１０では、絶縁層８１５または／およ
び絶縁層８１６を形成しないことで透過率が向上するため好ましい。図１９では、透明部
８１０において絶縁層８１５を形成しない構成を示している。例えば、絶縁層８１５とし
て窒化シリコンを、絶縁層８１６として酸化窒化シリコンを用いることができる。
【０２３０】
動作回路部８０６は、接着層７０３及び絶縁層７０５を介して基板７０１上にトランジ
スタを複数有する。図１９（Ｂ）では、動作回路部８０６が有するトランジスタのうち、
１つのトランジスタを示している。
【０２３１】
絶縁層７０５や絶縁層７１５に防湿性の高い膜を用いることで、発光素子８３０やトラ
ンジスタ８２０に水等の不純物が侵入することを抑制でき、表示パネルの信頼性を高くす
ることができる。また、表示パネルが基板を有することで、物理的な衝撃から表示パネル
の表面を保護することができるため好ましい。基板７０１は接着層７０３によって絶縁層
７０５と貼り合わされている。また、基板７１１は接着層７１３によって絶縁層７１５と
貼り合わされている。
【０２３２】
導電層８５７は、動作回路部８０６に外部からの信号（ビデオ信号、クロック信号、ス
タート信号、又はリセット信号等）や電位を伝達する外部電極と電気的に接続する。ここ
では、外部電極としてＦＰＣ８０８を設ける例を示している。工程数の増加を防ぐため、
導電層８５７は、表示部や駆動回路部に用いる電極や配線と同一の材料、同一の工程で作
製することが好ましい。ここでは、導電層８５７を、トランジスタ８２０を構成する電極
と同一の材料、同一の工程で作製した例を示す。
【０２３３】
図１９（Ｂ）に示す表示パネルでは、ＦＰＣ８０８が絶縁層７１５上に位置する。接続
体８２５は、絶縁層７１５、接着層８２２、絶縁層８１７、絶縁層８１６及び絶縁層８１
５に設けられた開口を介して導電層８５７と接続している。また、接続体８２５はＦＰＣ
８０８に接続している。接続体８２５を介してＦＰＣ８０８と導電層８５７は電気的に接
続する。
【０２３４】
図１９（Ｂ）に示す表示パネルを２枚、接着層７２３を介して貼り合わせた状態の断面
図の一例を図２０に示す。なお、接着層７２３のかわりに吸着層を用いて、２枚の表示パ
ネルを着脱可能に固定させてもよい。
【０２３５】
図２０では、下側（後方）の表示パネルの表示領域１０１ａ（図１９（Ａ）に示す表示
部８０４と対応）及び可視光を遮光する領域１２０ａ（図１９（Ａ）に示す動作回路部８
０６等に対応）、並びに、上側（前方）の表示パネルの表示領域１０１ｂ（図１９（Ａ）
に示す表示部８０４と対応）及び透明部１１０ｂ（図１９（Ａ）に示す透明部８１０に対
応）を示している。なお、図２０に示す断面図は、実施の形態２で説明した２枚の表示パ
ネル１００ａ、１００ｂの重なり部分（図１４（Ａ）の領域１７０）の一例でもある。
【０２３６】
図２０において、表示面側である上側に位置する表示パネルは、透明部８１０を表示部
８０４と隣接して有する。また、下側の表示パネルの表示部８０４と、上側の表示パネル
の透明部８１０とが重なっている。したがって、重ねた２つの表示パネルの表示領域の間
の非表示領域を縮小すること、さらには無くすことができる。これにより、使用者から表
示パネルの継ぎ目が認識されにくい、大型の表示装置を実現することができる。
【０２３７】
また、図２０において、下側の表示パネルの表示部８０４と上側の表示パネルの透明部
８１０の間に、可視光を透過する接着層７２３が位置する。接着層７２３は、上側の表示
パネルの基板７１１および／または下側の表示パネルの基板７０１との屈折率の差が小さ
いことが好ましい。このような構成とすることで、下側の表示パネルの表示部８０４の上
側に位置する積層体の屈折率の差による界面での反射を低減することができる。そして、
大型の表示装置における表示ムラや輝度ムラの抑制が可能となる。
【０２３８】
［材料および形成方法の一例］
次に、表示パネルに用いることができる材料等を説明する。なお、本明細書中で先に説
明した構成については説明を省略する場合がある。
【０２３９】
基板には、ガラス、石英、有機樹脂、金属、合金などの材料を用いることができる。発
光素子からの光を取り出す側の基板は、該光を透過する材料を用いる。
【０２４０】
特に、可撓性基板を用いることが好ましい。例えば、有機樹脂や可撓性を有する程度の
厚さのガラス、金属、合金を用いることができる。
【０２４１】
ガラスに比べて有機樹脂は比重が小さいため、可撓性基板として有機樹脂を用いると、
ガラスを用いる場合に比べて表示パネルを軽量化でき、好ましい。
【０２４２】
基板には、靱性が高い材料を用いることが好ましい。これにより、耐衝撃性に優れ、破
損しにくい表示パネルを実現できる。例えば、有機樹脂基板や、厚さの薄い金属基板もし
くは合金基板を用いることで、ガラス基板を用いる場合に比べて、軽量であり、破損しに
くい表示パネルを実現できる。
【０２４３】
金属材料や合金材料は熱伝導性が高く、基板全体に熱を容易に伝導できるため、表示パ
ネルの局所的な温度上昇を抑制することができ、好ましい。金属材料や合金材料を用いた
基板の厚さは、１０μｍ以上２００μｍ以下が好ましく、２０μｍ以上５０μｍ以下であ
ることがより好ましい。
【０２４４】
金属基板や合金基板を構成する材料としては、特に限定はないが、例えば、アルミニウ
ム、銅、ニッケル、又は、アルミニウム合金もしくはステンレス等の金属の合金などを好
適に用いることができる。
【０２４５】
また、基板に、熱放射率が高い材料を用いると表示パネルの表面温度が高くなることを
抑制でき、表示パネルの破壊や信頼性の低下を抑制できる。例えば、基板を金属基板と熱
放射率の高い層（例えば、金属酸化物やセラミック材料を用いることができる）の積層構
造としてもよい。
【０２４６】
可撓性及び透光性を有する基板としては、フィルム状のプラスチック基板、例えば、ポ
リイミド（ＰＩ）、アラミド、ポリエチレンテレフタレート（ＰＥＴ）、ポリエーテルス
ルホン（ＰＥＳ）、ポリエチレンナフタレート（ＰＥＮ）、ポリカーボネート（ＰＣ）、
ナイロン、ポリエーテルエーテルケトン（ＰＥＥＫ）、ポリスルホン（ＰＳＦ）、ポリエ
ーテルイミド（ＰＥＩ）、ポリアリレート（ＰＡＲ）、ポリブチレンテレフタレート（Ｐ
ＢＴ）、シリコーン樹脂などのプラスチック基板を用いることができる。また、該基板は
、繊維などを含んでいてもよく、例えばプリプレグなどを含んでいてもよい。また、該基
板としては、樹脂フィルムに限定されず、パルプを連続シート加工した透明な不織布や、
フィブロインと呼ばれるたんぱく質を含む人工くも糸繊維を含むシートや、これらと樹脂
とを混合させた複合体、繊維幅が４ｎｍ以上１００ｎｍ以下のセルロース繊維からなる不
織布と樹脂膜の積層体、人工くも糸繊維を含むシートと樹脂膜の積層体を用いてもよい。
【０２４７】
可撓性基板としては、上記材料を用いた層が、装置の表面を傷などから保護するハード
コート層（例えば、窒化シリコン層など）や、押圧を分散可能な材質の層（例えば、アラ
ミド樹脂層など）等と積層されて構成されていてもよい。
【０２４８】
可撓性基板は、複数の層を積層して用いることもできる。特に、ガラス層を有する構成
とすると、水や酸素に対するバリア性を向上させ、信頼性の高い表示パネルとすることが
できる。
【０２４９】
例えば、発光素子に近い側からガラス層、接着層、及び有機樹脂層を積層した可撓性基
板を用いることができる。当該ガラス層の厚さとしては２０μｍ以上２００μｍ以下、好
ましくは２５μｍ以上１００μｍ以下とする。このような厚さのガラス層は、水や酸素に
対する高いバリア性と可撓性を同時に実現できる。また、有機樹脂層の厚さとしては、１
０μｍ以上２００μｍ以下、好ましくは２０μｍ以上５０μｍ以下とする。このような有
機樹脂層をガラス層よりも外側に設けることにより、ガラス層の割れやクラックを抑制し
、機械的強度を向上させることができる。このようなガラス材料と有機樹脂の複合材料を
基板に適用することにより、極めて信頼性が高いフレキシブルな表示パネルとすることが
できる。
【０２５０】
ここで、可撓性を有する表示パネルを形成する方法について説明する。
【０２５１】
ここでは便宜上、画素や駆動回路を含む構成、カラーフィルタ等の光学部材を含む構成
、タッチセンサ回路を含む構成、またはそのほかの機能性部材を含む構成を素子層と呼ぶ
こととする。素子層は例えば表示素子を含み、表示素子のほかに表示素子と電気的に接続
する配線、画素や回路に用いるトランジスタなどの素子を備えていてもよい。
【０２５２】
またここでは、素子層が形成される絶縁表面を備える支持体のことを、基材と呼ぶこと
とする。
【０２５３】
可撓性を有する基材上に素子層を形成する方法としては、基材上に直接素子層を形成す
る方法と、基材とは異なる剛性を有する支持基材上に素子層を形成した後、素子層と支持
基材とを剥離して素子層を基材に転置する方法と、がある。
【０２５４】
基材を構成する材料が、素子層の形成工程にかかる熱に対して耐熱性を有する場合には
、基材上に直接素子層を形成すると、工程が簡略化されるため好ましい。このとき、基材
を支持基材に固定した状態で素子層を形成すると、装置内、及び装置間における搬送が容
易となるため好ましい。
【０２５５】
また、素子層を支持基材上に形成した後に、基材に転置する方法を用いる場合、まず支
持基材上に剥離層と絶縁層を積層し、当該絶縁層上に素子層を形成する。続いて、支持基
材から素子層を剥離し、基材に転置する。このとき、支持基材と剥離層の界面、剥離層と
絶縁層の界面、または剥離層中で剥離が生じるような材料を選択すればよい。このような
方法により、素子層の形成工程において基材の耐熱温度よりも高い温度での処理を行うこ
とが可能となるため、表示パネルの信頼性を向上させることができる。
【０２５６】
例えば剥離層としてタングステンなどの高融点金属材料を含む層と、当該金属材料の酸
化物を含む層を積層して用い、剥離層上に絶縁層として、窒化シリコンや酸化窒化シリコ
ンを複数積層した層を用いることが好ましい。高融点金属材料を用いると、素子層の形成
時に高温の処理を行うことができ、信頼性を向上させることができる。例えば素子層に含
まれる不純物をより低減することや、素子層に含まれる半導体などの結晶性をより高める
ことができる。
【０２５７】
剥離は、機械的な力を加えて引き剥がすことや、剥離層をエッチングにより除去するこ
と、または剥離界面の一部に液体を滴下して剥離界面全体に浸透させることなどにより行
ってもよい。
【０２５８】
また、支持基材と絶縁層の界面で剥離が可能な場合には、剥離層を設けなくてもよい。
例えば、支持基材としてガラスを用い、絶縁層としてポリイミドなどの有機樹脂を用いて
、有機樹脂の一部をレーザ光等により局所的に加熱することにより剥離の起点を形成し、
ガラスと絶縁層の界面で剥離を行ってもよい。または、支持基材と有機樹脂を含む絶縁層
の間に、金属や半導体などの熱伝導性の高い材料の層を設け、これに電流を流して加熱す
ることにより剥離しやすい状態とし、剥離を行ってもよい。このとき、有機樹脂を含む絶
縁層は基材として用いることもできる。
【０２５９】
接着層には、紫外線硬化型等の光硬化型樹脂、反応硬化型樹脂、熱硬化型樹脂、嫌気型
樹脂などの各種硬化型樹脂を用いることができる。これら樹脂としては、エポキシ樹脂、
アクリル樹脂、シリコーン樹脂、フェノール樹脂、ポリイミド樹脂、イミド樹脂、ＰＶＣ
（ポリビニルクロライド）樹脂、ＰＶＢ（ポリビニルブチラル）樹脂、ＥＶＡ（エチレン
ビニルアセテート）樹脂等が挙げられる。特に、エポキシ樹脂等の透湿性が低い材料が好
ましい。また、二液混合型の樹脂を用いてもよい。また、接着シート等を用いてもよい。
【０２６０】
また、上記樹脂に乾燥剤を含んでいてもよい。例えば、アルカリ土類金属の酸化物（酸
化カルシウムや酸化バリウム等）のように、化学吸着によって水分を吸着する物質を用い
ることができる。又は、ゼオライトやシリカゲル等のように、物理吸着によって水分を吸
着する物質を用いてもよい。乾燥剤が含まれていると、水分などの不純物が発光素子に侵
入することを抑制でき、表示パネルの信頼性が向上するため好ましい。
【０２６１】
また、上記樹脂に屈折率の高いフィラーや光散乱部材を混合することにより、発光素子
からの光取り出し効率を向上させることができる。例えば、酸化チタン、酸化バリウム、
ゼオライト、ジルコニウム等を用いることができる。
【０２６２】
絶縁層７０５および絶縁層７１５としては、防湿性の高い絶縁膜を用いることが好まし
い。または、絶縁層７０５および絶縁層７１５は、不純物の発光素子への拡散を防ぐ機能
を有していることが好ましい。
【０２６３】
防湿性の高い絶縁膜としては、窒化シリコン膜、窒化酸化シリコン膜等の窒素と珪素を
含む膜や、窒化アルミニウム膜等の窒素とアルミニウムを含む膜等が挙げられる。また、
酸化シリコン膜、酸化窒化シリコン膜、酸化アルミニウム膜等を用いてもよい。
【０２６４】
例えば、防湿性の高い絶縁膜の水蒸気透過量は、１×１０−５［ｇ／（ｍ２・ｄａｙ）
］以下、好ましくは１×１０−６［ｇ／（ｍ２・ｄａｙ）］以下、より好ましくは１×１
０−７［ｇ／（ｍ２・ｄａｙ）］以下、さらに好ましくは１×１０−８［ｇ／（ｍ２・ｄ
ａｙ）］以下とする。
【０２６５】
表示パネルにおいて、絶縁層７０５又は絶縁層７１５のうち、少なくとも発光面側の絶
縁層は、発光素子の発光を透過する必要がある。表示パネルが絶縁層７０５及び絶縁層７
１５を有する場合、絶縁層７０５又は絶縁層７１５のうち、発光素子の発光を透過する側
の絶縁層は、他方の絶縁層よりも、波長４００ｎｍ以上８００ｎｍ以下における透過率の
平均が高いことが好ましい。
【０２６６】
絶縁層７０５や絶縁層７１５は、酸素、窒素、及びシリコンを有することが好ましい。
例えば、絶縁層７０５や絶縁層７１５は、酸化窒化シリコンを有することが好ましい。ま
た、絶縁層７０５や絶縁層７１５は、窒化シリコン又は窒化酸化シリコンを有することが
好ましい。また、絶縁層７０５や絶縁層７１５は、酸化窒化シリコン膜及び窒化シリコン
膜を有し、該酸化窒化シリコン膜及び該窒化シリコン膜は接することが好ましい。酸化窒
化シリコン膜と、窒化シリコン膜と、を交互に積層し、逆位相の干渉が可視領域で多く起
こるようにすることで、積層体の可視領域における透過率を高めることができる。
【０２６７】
表示パネルが有するトランジスタの構造は特に限定されない。例えば、スタガ型のトラ
ンジスタとしてもよいし、逆スタガ型のトランジスタとしてもよい。また、トップゲート
型又はボトムゲート型のいずれのトランジスタ構造としてもよい。トランジスタに用いる
半導体材料は特に限定されず、例えば、シリコン、ゲルマニウム、有機半導体等が挙げら
れる。又は、Ｉｎ−Ｇａ−Ｚｎ系金属酸化物などの、インジウム、ガリウム、亜鉛のうち
少なくとも一つを含む酸化物半導体を用いてもよい。
【０２６８】
トランジスタに用いる半導体材料の結晶性についても特に限定されず、非晶質半導体、
結晶性を有する半導体（微結晶半導体、多結晶半導体、単結晶半導体、又は一部に結晶領
域を有する半導体）のいずれを用いてもよい。結晶性を有する半導体を用いると、トラン
ジスタ特性の劣化を抑制できるため好ましい。
【０２６９】
トランジスタの特性安定化等のため、下地膜を設けることが好ましい。下地膜としては
、酸化シリコン膜、窒化シリコン膜、酸化窒化シリコン膜、窒化酸化シリコン膜などの無
機絶縁膜を用い、単層で又は積層して作製することができる。下地膜はスパッタリング法
、ＣＶＤ（Ｃｈｅｍｉｃａｌ  Ｖａｐｏｒ  Ｄｅｐｏｓｉｔｉｏｎ）法（プラズマＣＶＤ
法、熱ＣＶＤ法、ＭＯＣＶＤ（Ｍｅｔａｌ  Ｏｒｇａｎｉｃ  ＣＶＤ）法など）、ＡＬＤ
（Ａｔｏｍｉｃ  Ｌａｙｅｒ  Ｄｅｐｏｓｉｔｉｏｎ）法、塗布法、印刷法等を用いて形
成できる。なお、下地膜は、必要で無ければ設けなくてもよい。上記各構成例では、絶縁
層７０５がトランジスタの下地膜を兼ねることができる。
【０２７０】
発光素子としては、自発光が可能な素子を用いることができ、電流又は電圧によって輝
度が制御される素子をその範疇に含んでいる。例えば、発光ダイオード（ＬＥＤ）、有機
ＥＬ素子、無機ＥＬ素子等を用いることができる。
【０２７１】
発光素子は、トップエミッション型、ボトムエミッション型、デュアルエミッション型
のいずれであってもよい。光を取り出す側の電極には、可視光を透過する導電膜を用いる
。また、光を取り出さない側の電極には、可視光を反射する導電膜を用いることが好まし
い。
【０２７２】
可視光を透過する導電膜は、例えば、酸化インジウム、インジウム錫酸化物（ＩＴＯ：
Ｉｎｄｉｕｍ  Ｔｉｎ  Ｏｘｉｄｅ）、インジウム亜鉛酸化物、酸化亜鉛（ＺｎＯ）、ガ
リウムを添加した酸化亜鉛などを用いて形成することができる。また、金、銀、白金、マ
グネシウム、ニッケル、タングステン、クロム、モリブデン、鉄、コバルト、銅、パラジ
ウム、もしくはチタン等の金属材料、これら金属材料を含む合金、又はこれら金属材料の
窒化物（例えば、窒化チタン）等も、透光性を有する程度に薄く形成することで用いるこ
とができる。また、上記材料の積層膜を導電層として用いることができる。例えば、銀と
マグネシウムの合金とＩＴＯの積層膜などを用いると、導電性を高めることができるため
好ましい。また、グラフェン等を用いてもよい。
【０２７３】
可視光を反射する導電膜は、例えば、アルミニウム、金、白金、銀、ニッケル、タング
ステン、クロム、モリブデン、鉄、コバルト、銅、もしくはパラジウム等の金属材料、又
はこれら金属材料を含む合金を用いることができる。また、上記金属材料や合金に、ラン
タン、ネオジム、又はゲルマニウム等が添加されていてもよい。また、アルミニウムとチ
タンの合金、アルミニウムとニッケルの合金、アルミニウムとネオジムの合金、アルミニ
ウム、ニッケル、及びランタンの合金（Ａｌ−Ｎｉ−Ｌａ）等のアルミニウムを含む合金
（アルミニウム合金）や、銀と銅の合金、銀とパラジウムと銅の合金（Ａｇ−Ｐｄ−Ｃｕ
、ＡＰＣとも記す）、銀とマグネシウムの合金等の銀を含む合金を用いて形成することが
できる。銀と銅を含む合金は、耐熱性が高いため好ましい。さらに、アルミニウム合金膜
に接する金属膜又は金属酸化物膜を積層することで、アルミニウム合金膜の酸化を抑制す
ることができる。該金属膜、金属酸化物膜の材料としては、チタン、酸化チタンなどが挙
げられる。また、上記可視光を透過する導電膜と金属材料からなる膜とを積層してもよい
。例えば、銀とＩＴＯの積層膜、銀とマグネシウムの合金とＩＴＯの積層膜などを用いる
ことができる。
【０２７４】
下部電極８３１、上部電極８３５に用いる材料として、上記の可視光を透過する導電膜
または可視光を反射する導電膜を用いることができる。
【０２７５】
電極は、それぞれ、蒸着法やスパッタリング法を用いて形成すればよい。そのほか、イ
ンクジェット法などの吐出法、スクリーン印刷法などの印刷法、又はメッキ法を用いて形
成することができる。
【０２７６】
下部電極８３１及び上部電極８３５の間に、発光素子の閾値電圧より高い電圧を印加す
ると、ＥＬ層８３３に陽極側から正孔が注入され、陰極側から電子が注入される。注入さ
れた電子と正孔はＥＬ層８３３において再結合し、ＥＬ層８３３に含まれる発光物質が発
光する。
【０２７７】
ＥＬ層８３３は少なくとも発光層を有する。ＥＬ層８３３は、発光層以外の層として、
正孔注入性の高い物質、正孔輸送性の高い物質、正孔ブロック材料、電子輸送性の高い物
質、電子注入性の高い物質、又はバイポーラ性の物質（電子輸送性及び正孔輸送性が高い
物質）等を含む層をさらに有していてもよい。
【０２７８】
ＥＬ層８３３には低分子系化合物及び高分子系化合物のいずれを用いることもでき、無
機化合物を含んでいてもよい。ＥＬ層８３３を構成する層は、それぞれ、蒸着法（真空蒸
着法を含む）、転写法、印刷法、インクジェット法、塗布法等の方法で形成することがで
きる。
【０２７９】
発光素子８３０は、２以上の発光物質を含んでいてもよい。これにより、例えば、白色
発光の発光素子を実現することができる。例えば２以上の発光物質の各々の発光が補色の
関係となるように、発光物質を選択することにより白色発光を得ることができる。例えば
、Ｒ（赤）、Ｇ（緑）、Ｂ（青）、Ｙ（黄）、又はＯ（橙）等の発光を示す発光物質や、
Ｒ、Ｇ、Ｂのうち２以上の色のスペクトル成分を含む発光を示す発光物質を用いることが
できる。例えば、青の発光を示す発光物質と、黄の発光を示す発光物質を用いてもよい。
このとき、黄の発光を示す発光物質の発光スペクトルは、緑及び赤のスペクトル成分を含
むことが好ましい。また、発光素子８３０の発光スペクトルは、可視領域の波長（例えば
３５０ｎｍ以上７５０ｎｍ以下、又は４００ｎｍ以上８００ｎｍ以下など）の範囲内に２
以上のピークを有することが好ましい。
【０２８０】
ＥＬ層８３３は、複数の発光層を有していてもよい。ＥＬ層８３３において、複数の発
光層は、互いに接して積層されていてもよいし、分離層を介して積層されていてもよい。
例えば、蛍光発光層と、燐光発光層との間に、分離層を設けてもよい。
【０２８１】
分離層は、例えば、燐光発光層中で生成する燐光材料等の励起状態から蛍光発光層中の
蛍光材料等へのデクスター機構によるエネルギー移動（特に三重項エネルギー移動）を防
ぐために設けることができる。分離層は数ｎｍ程度の厚さがあればよい。具体的には、０
．１ｎｍ以上２０ｎｍ以下、あるいは１ｎｍ以上１０ｎｍ以下、あるいは１ｎｍ以上５ｎ
ｍ以下である。分離層は、単一の材料（好ましくはバイポーラ性の物質）、又は複数の材
料（好ましくは正孔輸送性材料及び電子輸送性材料）を含む。
【０２８２】
分離層は、該分離層と接する発光層に含まれる材料を用いて形成してもよい。これによ
り、発光素子の作製が容易になり、また、駆動電圧が低減される。例えば、燐光発光層が
、ホスト材料、アシスト材料、及び燐光材料（ゲスト材料）からなる場合、分離層を、該
ホスト材料及びアシスト材料で形成してもよい。上記構成を別言すると、分離層は、燐光
材料を含まない領域を有し、燐光発光層は、燐光材料を含む領域を有する。これにより、
分離層と燐光発光層とを燐光材料の有無の選択によって各々蒸着することが可能となる。
また、このような構成とすることで、分離層と燐光発光層を同じチャンバーで成膜するこ
とが可能となる。これにより、製造コストを削減することができる。
【０２８３】
また、発光素子８３０は、ＥＬ層を１つ有するシングル素子であってもよいし、電荷発
生層を介して積層されたＥＬ層を複数有するタンデム素子であってもよい。
【０２８４】
発光素子は、一対の防湿性の高い絶縁膜の間に設けられていることが好ましい。これに
より、発光素子に水等の不純物が侵入することを抑制でき、表示パネルの信頼性の低下を
抑制できる。
【０２８５】
絶縁層８１５および絶縁層８１６としては、例えば、酸化シリコン膜、酸化窒化シリコ
ン膜、酸化アルミニウム膜などの無機絶縁膜を用いることができる。なお、絶縁層８１５
と絶縁層８１６を、それぞれ別の材料で形成してもよい。また、絶縁層８１７、絶縁層８
１７ａ、及び絶縁層８１７ｂとしては、例えば、ポリイミド、アクリル、ポリアミド、ポ
リイミドアミド、ベンゾシクロブテン系樹脂等の有機材料をそれぞれ用いることができる
。また、低誘電率材料（ｌｏｗ−ｋ材料）等を用いることができる。また、絶縁膜を複数
積層させることで、各絶縁層を形成してもよい。
【０２８６】
絶縁層８２１としては、有機絶縁材料又は無機絶縁材料を用いて形成する。樹脂として
は、例えば、ポリイミド樹脂、ポリアミド樹脂、アクリル樹脂、シロキサン樹脂、エポキ
シ樹脂、又はフェノール樹脂等を用いることができる。特に感光性の樹脂材料を用い、下
部電極８３１上に開口部を形成し、その開口部の側壁が連続した曲率を持って形成される
傾斜面となるように形成することが好ましい。
【０２８７】
絶縁層８２１の形成方法は、特に限定されないが、フォトリソグラフィ法、スパッタ法
、蒸着法、液滴吐出法（インクジェット法等）、印刷法（スクリーン印刷、オフセット印
刷等）等を用いればよい。
【０２８８】
トランジスタの電極や配線、又は発光素子の補助電極等として機能する、表示パネルに
用いる導電層は、例えば、モリブデン、チタン、クロム、タンタル、タングステン、アル
ミニウム、銅、ネオジム、スカンジウム等の金属材料又はこれらの元素を含む合金材料を
用いて、単層で又は積層して形成することができる。また、導電層は、導電性の金属酸化
物を用いて形成してもよい。導電性の金属酸化物としては酸化インジウム（Ｉｎ２Ｏ３等
）、酸化スズ（ＳｎＯ２等）、ＺｎＯ、ＩＴＯ、インジウム亜鉛酸化物（Ｉｎ２Ｏ３−Ｚ
ｎＯ等）又はこれらの金属酸化物材料に酸化シリコンを含ませたものを用いることができ
る。
【０２８９】
着色層は特定の波長帯域の光を透過する有色層である。例えば、赤色、緑色、青色、又
は黄色の波長帯域の光を透過するカラーフィルタなどを用いることができる。各着色層は
、様々な材料を用いて、印刷法、インクジェット法、フォトリソグラフィ法を用いたエッ
チング方法などでそれぞれ所望の位置に形成する。また、白色の副画素では、発光素子と
重ねて透明又は白色等の樹脂を配置してもよい。
【０２９０】
遮光層は、隣接する着色層の間に設けられている。遮光層は隣接する発光素子からの光
を遮光し、隣接する発光素子間における混色を抑制する。ここで、着色層の端部を、遮光
層と重なるように設けることにより、光漏れを抑制することができる。遮光層としては、
発光素子からの発光を遮る材料を用いることができ、例えば、金属材料や顔料や染料を含
む樹脂材料を用いてブラックマトリクスを形成すればよい。なお、遮光層は、駆動回路部
などの表示部以外の領域に設けると、導波光などによる意図しない光漏れを抑制できるた
め好ましい。
【０２９１】
また、着色層及び遮光層を覆うオーバーコートを設けてもよい。オーバーコートを設け
ることで、着色層に含有された不純物等の発光素子への拡散を防止することができる。オ
ーバーコートは、発光素子からの発光を透過する材料から構成され、例えば窒化シリコン
膜、酸化シリコン膜等の無機絶縁膜や、アクリル膜、ポリイミド膜等の有機絶縁膜を用い
ることができ、有機絶縁膜と無機絶縁膜との積層構造としてもよい。
【０２９２】
また、接着層の材料を着色層及び遮光層上に塗布する場合、オーバーコートの材料とし
て接着層の材料に対してぬれ性の高い材料を用いることが好ましい。例えば、オーバーコ
ートとして、ＩＴＯ膜などの酸化物導電膜や、透光性を有する程度に薄いＡｇ膜等の金属
膜を用いることが好ましい。
【０２９３】
接続体としては、様々な異方性導電フィルム（ＡＣＦ：Ａｎｉｓｏｔｒｏｐｉｃ  Ｃｏ
ｎｄｕｃｔｉｖｅ  Ｆｉｌｍ）や、異方性導電ペースト（ＡＣＰ：Ａｎｉｓｏｔｒｏｐｉ
ｃ  Ｃｏｎｄｕｃｔｉｖｅ  Ｐａｓｔｅ）などを用いることができる。
【０２９４】
本実施の形態は、他の実施の形態と適宜組み合わせることができる。
【０２９５】
（実施の形態５）
本実施の形態では、本発明の一態様の表示装置に用いることができるタッチパネルにつ
いて図面を用いて説明する。なお、上記実施の形態で説明した表示パネルと同様の構成に
ついては、先の記載も参照することができる。また、本実施の形態では、発光素子を用い
たタッチパネルを例示するが、これに限られない。例えば、上記実施の形態に例示した他
の素子（表示素子など）を用いたタッチパネルも本発明の一態様の表示装置に用いること
ができる。
【０２９６】
［構成例１］
図２１（Ａ）はタッチパネルの上面図である。図２１（Ｂ）は図２１（Ａ）の一点鎖線
Ａ−Ｂ間及び一点鎖線Ｃ−Ｄ間の断面図である。図２１（Ｃ）は図２１（Ａ）の一点鎖線
Ｅ−Ｆ間の断面図である。
【０２９７】
図２１（Ａ）に示すタッチパネル３９０は、表示部３０１（入力部も兼ねる）、走査線
駆動回路３０３ｇ（１）、撮像画素駆動回路３０３ｇ（２）、画像信号線駆動回路３０３
ｓ（１）、及び撮像信号線駆動回路３０３ｓ（２）を有する。
【０２９８】
表示部３０１は、複数の画素３０２と、複数の撮像画素３０８と、を有する。
【０２９９】
画素３０２は、複数の副画素を有する。各副画素は、発光素子及び画素回路を有する。
【０３００】
画素回路は、発光素子を駆動する電力を供給することができる。画素回路は、選択信号
を供給することができる配線と電気的に接続される。また、画素回路は、画像信号を供給
することができる配線と電気的に接続される。
【０３０１】
走査線駆動回路３０３ｇ（１）は、選択信号を画素３０２に供給することができる。
【０３０２】
画像信号線駆動回路３０３ｓ（１）は、画像信号を画素３０２に供給することができる
。
【０３０３】
撮像画素３０８を用いてタッチセンサを構成することができる。具体的には、撮像画素
３０８は、表示部３０１に触れる指等を検知することができる。
【０３０４】
撮像画素３０８は、光電変換素子及び撮像画素回路を有する。
【０３０５】
撮像画素回路は、光電変換素子を駆動することができる。撮像画素回路は、制御信号を
供給することができる配線と電気的に接続される。また、撮像画素回路は、電源電位を供
給することができる配線と電気的に接続される。
【０３０６】
制御信号としては、例えば、記録された撮像信号を読み出す撮像画素回路を選択するこ
とができる信号、撮像画素回路を初期化することができる信号、及び撮像画素回路が光を
検知する時間を決定することができる信号などを挙げることができる。
【０３０７】
撮像画素駆動回路３０３ｇ（２）は、制御信号を撮像画素３０８に供給することができ
る。
【０３０８】
撮像信号線駆動回路３０３ｓ（２）は、撮像信号を読み出すことができる。
【０３０９】
図２１（Ｂ）、（Ｃ）に示すように、タッチパネル３９０は、基板７０１、接着層７０
３、絶縁層７０５、基板７１１、接着層７１３、及び絶縁層７１５を有する。また、基板
７０１及び基板７１１は、接着層３６０で貼り合わされている。
【０３１０】
基板７０１と絶縁層７０５は接着層７０３で貼り合わされている。また、基板７１１と
絶縁層７１５は接着層７１３で貼り合わされている。
【０３１１】
基板７０１および基板７１１は、可撓性を有することが好ましい。
【０３１２】
基板、接着層、及び絶縁層に用いることができる材料については実施の形態２を参照す
ることができる。
【０３１３】
画素３０２は、副画素３０２Ｒ、副画素３０２Ｇ、及び副画素３０２Ｂを有する（図２
１（Ｃ））。また、副画素３０２Ｒは発光モジュール３８０Ｒを有し、副画素３０２Ｇは
発光モジュール３８０Ｇを有し、副画素３０２Ｂは発光モジュール３８０Ｂを有する。
【０３１４】
例えば副画素３０２Ｒは、発光素子３５０Ｒ及び画素回路を有する。画素回路は、発光
素子３５０Ｒに電力を供給することができるトランジスタ３０２ｔを含む。また、発光モ
ジュール３８０Ｒは、発光素子３５０Ｒ及び光学素子（例えば赤色の光を透過する着色層
３６７Ｒ）を有する。
【０３１５】
発光素子３５０Ｒは、下部電極３５１Ｒ、ＥＬ層３５３、及び上部電極３５２をこの順
で積層して有する（図２１（Ｃ））。
【０３１６】
ＥＬ層３５３は、第１のＥＬ層３５３ａ、中間層３５４、及び第２のＥＬ層３５３ｂを
この順で積層して有する。
【０３１７】
なお、特定の波長の光を効率よく取り出せるように、発光モジュール３８０Ｒにマイク
ロキャビティ構造を配設することができる。具体的には、特定の光を効率よく取り出せる
ように配置された可視光を反射する膜及び半反射・半透過する膜の間にＥＬ層を配置して
もよい。
【０３１８】
例えば、発光モジュール３８０Ｒは、発光素子３５０Ｒと着色層３６７Ｒに接する接着
層３６０を有する。
【０３１９】
着色層３６７Ｒは発光素子３５０Ｒと重なる位置にある。これにより、発光素子３５０
Ｒが発する光の一部は、接着層３６０及び着色層３６７Ｒを透過して、図中の矢印に示す
ように発光モジュール３８０Ｒの外部に射出される。
【０３２０】
タッチパネル３９０は、遮光層３６７ＢＭを有する。遮光層３６７ＢＭは、着色層（例
えば着色層３６７Ｒ）を囲むように設けられている。
【０３２１】
タッチパネル３９０は、反射防止層３６７ｐを表示部３０１に重なる位置に有する。反
射防止層３６７ｐとして、例えば円偏光板を用いることができる。
【０３２２】
タッチパネル３９０は、絶縁層３２１を有する。絶縁層３２１はトランジスタ３０２ｔ
等を覆っている。なお、絶縁層３２１は画素回路や撮像画素回路に起因する凹凸を平坦化
するための層として用いることができる。また、不純物のトランジスタ３０２ｔ等への拡
散を抑制することができる層が積層された絶縁層を、絶縁層３２１に適用することができ
る。
【０３２３】
タッチパネル３９０は、下部電極３５１Ｒの端部に重なる隔壁３２８を有する。また、
基板７０１と基板７１１の間隔を制御するスペーサ３２９を、隔壁３２８上に有する。
【０３２４】
画像信号線駆動回路３０３ｓ（１）は、トランジスタ３０３ｔ及び容量３０３ｃを含む
。なお、駆動回路は画素回路と同一の工程で同一基板上に形成することができる。図２１
（Ｂ）に示すようにトランジスタ３０３ｔは絶縁層３２１上に第２のゲート３０４を有し
ていてもよい。第２のゲート３０４はトランジスタ３０３ｔのゲートと電気的に接続され
ていてもよいし、これらに異なる電位が与えられていてもよい。また、必要であれば、第
２のゲート３０４をトランジスタ３０８ｔ、トランジスタ３０２ｔ等に設けてもよい。
【０３２５】
撮像画素３０８は、光電変換素子３０８ｐ及び撮像画素回路を有する。撮像画素回路は
、光電変換素子３０８ｐに照射された光を検知することができる。撮像画素回路は、トラ
ンジスタ３０８ｔを含む。
【０３２６】
例えばｐｉｎ型のフォトダイオードを光電変換素子３０８ｐに用いることができる。
【０３２７】
タッチパネル３９０は、信号を供給することができる配線３１１を有し、端子３１９が
配線３１１に設けられている。なお、画像信号及び同期信号等の信号を供給することがで
きるＦＰＣ３０９が端子３１９に電気的に接続されている。なお、ＦＰＣ３０９にはプリ
ント配線基板（ＰＷＢ）が取り付けられていてもよい。
【０３２８】
なお、トランジスタ３０２ｔ、トランジスタ３０３ｔ、トランジスタ３０８ｔ等のトラ
ンジスタは、同一の工程で形成することができる。又は、それぞれ異なる工程で形成して
もよい。
【０３２９】
［構成例２］
図２２（Ａ）、（Ｂ）は、タッチパネル５０５Ａの斜視図である。なお明瞭化のため、
代表的な構成要素を示す。図２３（Ａ）は、図２２（Ａ）に示す一点鎖線Ｇ−Ｈ間の断面
図である。
【０３３０】
図２２（Ａ）、（Ｂ）に示すように、タッチパネル５０５Ａは、表示部５０１、走査線
駆動回路３０３ｇ（１）、及びタッチセンサ５９５等を有する。また、タッチパネル５０
５Ａは、基板７０１、基板７１１、及び基板５９０を有する。
【０３３１】
タッチパネル５０５Ａは、複数の画素及び複数の配線３１１を有する。複数の配線３１
１は、画素に信号を供給することができる。複数の配線３１１は、基板７０１の外周部に
まで引き回され、その一部が端子３１９を構成している。端子３１９はＦＰＣ５０９（１
）と電気的に接続する。
【０３３２】
タッチパネル５０５Ａは、タッチセンサ５９５及び複数の配線５９８を有する。複数の
配線５９８は、タッチセンサ５９５と電気的に接続される。複数の配線５９８は基板５９
０の外周部に引き回され、その一部は端子を構成する。そして、当該端子はＦＰＣ５０９
（２）と電気的に接続される。なお、図２２（Ｂ）では明瞭化のため、基板５９０の裏面
側（基板７０１と対向する面側）に設けられるタッチセンサ５９５の電極や配線等を実線
で示している。
【０３３３】
タッチセンサ５９５には、例えば静電容量方式のタッチセンサを適用できる。静電容量
方式としては、表面型静電容量方式、投影型静電容量方式等がある。ここでは、投影型静
電容量方式のタッチセンサを適用する場合を示す。
【０３３４】
投影型静電容量方式としては、主に駆動方式の違いから自己容量方式、相互容量方式な
どがある。相互容量方式を用いると同時多点検出が可能となるため好ましい。
【０３３５】
なお、タッチセンサ５９５には、指等の検知対象の近接又は接触を検知することができ
るさまざまなセンサを適用することができる。
【０３３６】
投影型静電容量方式のタッチセンサ５９５は、電極５９１と電極５９２を有する。電極
５９１は複数の配線５９８のいずれかと電気的に接続し、電極５９２は複数の配線５９８
の他のいずれかと電気的に接続する。
【０３３７】
電極５９２は、図２２（Ａ）、（Ｂ）に示すように、一方向に繰り返し配置された複数
の四辺形が角部で接続された形状を有する。
【０３３８】
電極５９１は四辺形であり、電極５９２が延在する方向と交差する方向に繰り返し配置
されている。なお、複数の電極５９１は、一の電極５９２と必ずしも直交する方向に配置
される必要はなく、９０度未満の角度をなすように配置されてもよい。
【０３３９】
配線５９４は電極５９２と交差して設けられている。配線５９４は、電極５９２を挟む
二つの電極５９１を電気的に接続する。このとき、電極５９２と配線５９４の交差部の面
積ができるだけ小さくなる形状が好ましい。これにより、電極が設けられていない領域の
面積を低減でき、透過率のムラを低減できる。その結果、タッチセンサ５９５を透過する
光の輝度ムラを低減することができる。
【０３４０】
なお、電極５９１、電極５９２の形状はこれに限られず、様々な形状を取りうる。例え
ば、複数の電極５９１をできるだけ隙間が生じないように配置し、絶縁層を介して電極５
９２を、電極５９１と重ならない領域ができるように離間して複数設ける構成としてもよ
い。このとき、隣接する２つの電極５９２の間に、これらとは電気的に絶縁されたダミー
電極を設けると、透過率の異なる領域の面積を低減できるため好ましい。
【０３４１】
なお、タッチセンサ５９５のより具体的な構成例については後述する。
【０３４２】
図２３（Ａ）に示すように、タッチパネル５０５Ａは、基板７０１、接着層７０３、絶
縁層７０５、基板７１１、接着層７１３、及び絶縁層７１５を有する。また、基板７０１
及び基板７１１は、接着層３６０で貼り合わされている。
【０３４３】
接着層５９７は、タッチセンサ５９５が表示部５０１に重なるように、基板５９０を基
板７１１に貼り合わせている。接着層５９７は、透光性を有する。
【０３４４】
電極５９１及び電極５９２は、透光性を有する導電材料を用いて形成する。透光性を有
する導電性材料としては、酸化インジウム、インジウム錫酸化物、インジウム亜鉛酸化物
、酸化亜鉛、ガリウムを添加した酸化亜鉛などの導電性酸化物を用いることができる。な
お、グラフェンを含む膜を用いることもできる。グラフェンを含む膜は、例えば膜状に形
成された酸化グラフェンを含む膜を還元して形成することができる。還元する方法として
は、熱を加える方法等を挙げることができる。
【０３４５】
また、電極５９１、電極５９２、配線５９４などの導電膜、つまり、タッチパネルを構
成する配線や電極に用いる材料の抵抗値が低いことが望ましい。一例として、ＩＴＯ、イ
ンジウム亜鉛酸化物、ＺｎＯ、銀、銅、アルミニウム、カーボンナノチューブ、グラフェ
ンなどを用いてもよい。さらに、非常に細くした（例えば、直径が数ナノメートル）、多
数の導電体を用いて構成される金属ナノワイヤを用いてもよい。なお、透過率が高いため
、表示素子に用いる電極、例えば、画素電極や共通電極に、金属ナノワイヤ、カーボンナ
ノチューブ、グラフェンなどを用いてもよい。
【０３４６】
透光性を有する導電性材料を基板５９０上にスパッタリング法により成膜した後、フォ
トリソグラフィ法等の様々なパターニング技術により、不要な部分を除去して、電極５９
１及び電極５９２を形成することができる。
【０３４７】
電極５９１及び電極５９２は絶縁層５９３で覆われている。また、電極５９１に達する
開口が絶縁層５９３に設けられ、配線５９４が隣接する電極５９１を電気的に接続する。
透光性の導電性材料は、タッチパネルの開口率を高めることができるため、配線５９４に
好適に用いることができる。また、電極５９１及び電極５９２より導電性の高い材料は、
電気抵抗を低減できるため配線５９４に好適に用いることができる。
【０３４８】
なお、絶縁層５９３及び配線５９４を覆う絶縁層を設けて、タッチセンサ５９５を保護
することができる。
【０３４９】
また、接続層５９９は、配線５９８とＦＰＣ５０９（２）を電気的に接続する。
【０３５０】
表示部５０１は、マトリクス状に配置された複数の画素を有する。画素は、構成例１と
同様であるため、説明を省略する。
【０３５１】
なお、様々なトランジスタをタッチパネルに適用できる。ボトムゲート型のトランジス
タを適用する場合の構成を、図２３（Ａ）、（Ｂ）に示す。
【０３５２】
例えば、酸化物半導体、アモルファスシリコン等を含む半導体層を、図２３（Ａ）に示
すトランジスタ３０２ｔ及びトランジスタ３０３ｔに適用することができる。
【０３５３】
例えば、レーザーアニールなどの処理により結晶化させた多結晶シリコンを含む半導体
層を、図２３（Ｂ）に示すトランジスタ３０２ｔ及びトランジスタ３０３ｔに適用するこ
とができる。
【０３５４】
また、トップゲート型のトランジスタを適用する場合の構成を、図２３（Ｃ）に示す。
【０３５５】
例えば、多結晶シリコン又は単結晶シリコン基板等から転置された単結晶シリコン膜等
を含む半導体層を、図２３（Ｃ）に示すトランジスタ３０２ｔ及びトランジスタ３０３ｔ
に適用することができる。
【０３５６】
［構成例３］
図２４は、タッチパネル５０５Ｂの断面図である。本実施の形態で説明するタッチパネ
ル５０５Ｂは、供給された画像情報をトランジスタが設けられている側に表示する点、タ
ッチセンサが表示部の基板７０１側に設けられている点、及びＦＰＣ５０９（２）がＦＰ
Ｃ５０９（１）と同じ側に設けられている点が、構成例２のタッチパネル５０５Ａとは異
なる。ここでは異なる構成について詳細に説明し、同様の構成を用いることができる部分
は、上記の説明を援用する。
【０３５７】
着色層３６７Ｒは発光素子３５０Ｒと重なる位置にある。また、図２４（Ａ）に示す発
光素子３５０Ｒは、トランジスタ３０２ｔが設けられている側に光を射出する。これによ
り、発光素子３５０Ｒが発する光の一部は着色層３６７Ｒを透過して、図中に示す矢印の
方向の発光モジュール３８０Ｒの外部に射出される。
【０３５８】
タッチパネル５０５Ｂは、光を射出する方向に遮光層３６７ＢＭを有する。遮光層３６
７ＢＭは、着色層（例えば着色層３６７Ｒ）を囲むように設けられている。
【０３５９】
タッチセンサ５９５は、基板７１１側でなく、基板７０１側に設けられている（図２４
（Ａ））。
【０３６０】
接着層５９７は、タッチセンサ５９５が表示部に重なるように、基板５９０を基板７０
１に貼り合わせている。接着層５９７は、透光性を有する。
【０３６１】
なお、ボトムゲート型のトランジスタを表示部５０１に適用する場合の構成を、図２４
（Ａ）、（Ｂ）に示す。
【０３６２】
例えば、酸化物半導体、アモルファスシリコン等を含む半導体層を、図２４（Ａ）に示
すトランジスタ３０２ｔ及びトランジスタ３０３ｔに適用することができる。
【０３６３】
例えば、多結晶シリコン等を含む半導体層を、図２４（Ｂ）に示すトランジスタ３０２
ｔ及びトランジスタ３０３ｔに適用することができる。
【０３６４】
また、トップゲート型のトランジスタを適用する場合の構成を、図２４（Ｃ）に示す。
【０３６５】
例えば、多結晶シリコン又は転写された単結晶シリコン膜等を含む半導体層を、図２４
（Ｃ）に示すトランジスタ３０２ｔ及びトランジスタ３０３ｔに適用することができる。
【０３６６】
［タッチセンサの構成例］
以下では、タッチセンサ５９５のより具体的な構成例について、図面を参照して説明す
る。
【０３６７】
図２５（Ａ）に、タッチセンサ５９５の上面概略図を示す。タッチセンサ５９５は、基
板５９０上に複数の電極５３１、複数の電極５３２、複数の配線５４１、複数の配線５４
２を有する。また基板５９０には、複数の配線５４１及び複数の配線５４２の各々と電気
的に接続するＦＰＣ５５０が設けられている。
【０３６８】
図２５（Ｂ）に、図２５（Ａ）中の一点鎖線で囲った領域の拡大図を示す。電極５３１
は、複数の菱形の電極パターンが、紙面横方向に連なった形状を有している。一列に並ん
だ菱形の電極パターンは、それぞれ電気的に接続されている。また電極５３２も同様に、
複数の菱形の電極パターンが、紙面縦方向に連なった形状を有し、一列に並んだ菱形の電
極パターンはそれぞれ電気的に接続されている。また、電極５３１と、電極５３２とはこ
れらの一部が重畳し、互いに交差している。この交差部分では電極５３１と電極５３２と
が電気的に短絡（ショート）しないように、絶縁体が挟持されている。
【０３６９】
また図２５（Ｃ）に示すように、電極５３２が菱形の形状を有する複数の電極５３３と
、ブリッジ電極５３４によって構成されていてもよい。島状の電極５３３は、紙面縦方向
に並べて配置され、ブリッジ電極５３４により隣接する２つの電極５３３が電気的に接続
されている。このような構成とすることで、電極５３３と、電極５３１を同一の導電膜を
加工することで同時に形成することができる。そのためこれらの膜厚のばらつきを抑制す
ることができ、それぞれの電極の抵抗値や光透過率が場所によってばらつくことを抑制で
きる。なお、ここでは電極５３２がブリッジ電極５３４を有する構成としたが、電極５３
１がこのような構成であってもよい。
【０３７０】
また、図２５（Ｄ）に示すように、図２５（Ｂ）で示した電極５３１及び５３２の菱形
の電極パターンの内側をくりぬいて、輪郭部のみを残したような形状としてもよい。この
とき、電極５３１及び電極５３２の幅が、使用者から視認されない程度に細い場合には、
後述するように電極５３１及び電極５３２に金属や合金などの遮光性の材料を用いてもよ
い。また、図２５（Ｄ）に示す電極５３１または電極５３２が、上記ブリッジ電極５３４
を有する構成としてもよい。
【０３７１】
１つの電極５３１は、１つの配線５４１と電気的に接続している。また１つの電極５３
２は、１つの配線５４２と電気的に接続している。
【０３７２】
ここで、タッチセンサ５９５を表示パネルの表示面に重ねて、タッチパネルを構成する
場合には、電極５３１及び電極５３２に透光性を有する導電性材料を用いることが好まし
い。また、電極５３１及び電極５３２に透光性の導電性材料を用い、表示パネルからの光
を電極５３１または電極５３２を介して取り出す場合には、電極５３１と電極５３２との
間に、同一の導電性材料を含む導電膜をダミーパターンとして配置することが好ましい。
このように、電極５３１と電極５３２との間の隙間の一部をダミーパターンにより埋める
ことにより、光透過率のばらつきを低減できる。その結果、タッチセンサ５９５を透過す
る光の輝度ムラを低減することができる。
【０３７３】
透光性を有する導電性材料としては、酸化インジウム、インジウム錫酸化物、インジウ
ム亜鉛酸化物、酸化亜鉛、ガリウムを添加した酸化亜鉛などの導電性酸化物を用いること
ができる。なお、グラフェンを含む膜を用いることもできる。グラフェンを含む膜は、例
えば膜状に形成された酸化グラフェンを含む膜を還元して形成することができる。還元す
る方法としては、熱を加える方法等を挙げることができる。
【０３７４】
または、透光性を有する程度に薄い金属または合金を用いることができる。例えば、金
、銀、白金、マグネシウム、ニッケル、タングステン、クロム、モリブデン、鉄、コバル
ト、銅、パラジウム、またはチタンなどの金属や、該金属を含む合金を用いることができ
る。または、該金属または合金の窒化物（例えば、窒化チタン）などを用いてもよい。ま
た、上述した材料を含む導電膜のうち、２以上を積層した積層膜を用いてもよい。
【０３７５】
また、電極５３１及び電極５３２には、使用者から視認されない程度に細く加工された
導電膜を用いてもよい。例えば、このような導電膜を格子状（メッシュ状）に加工するこ
とで、高い導電性と表示装置の高い視認性を得ることができる。このとき、導電膜は３０
ｎｍ以上１００μｍ以下、好ましくは５０ｎｍ以上５０μｍ以下、より好ましくは５０ｎ
ｍ以上２０μｍ以下の幅である部分を有することが好ましい。特に、１０μｍ以下のパタ
ーン幅を有する導電膜は、使用者が視認することが極めて困難となるため好ましい。
【０３７６】
一例として、図２６（Ａ）乃至（Ｄ）に、電極５３１または電極５３２の一部（図２５
（Ｂ）において一点鎖線の円で囲んだ部分）を拡大した概略図を示している。図２６（Ａ
）は、格子状の導電膜５６１を用いた場合の例を示している。このとき、導電膜５６１が
表示装置が有する表示素子と重ならないように配置することで、表示装置からの光を遮光
することがないため好ましい。その場合、格子の向きを表示素子の配列と同じ向きとし、
また格子の周期を表示素子の配列の周期の整数倍とすることが好ましい。
【０３７７】
また、図２６（Ｂ）には、三角形の開口が形成されるように加工された格子状の導電膜
５６２の例を示している。このような構成とすることで、図２６（Ａ）に示した場合に比
べて抵抗をより低くすることが可能となる。
【０３７８】
また、図２６（Ｃ）に示すように、周期性を有さないパターン形状を有する導電膜５６
３としてもよい。このような構成とすることで、表示装置の表示部と重ねたときにモアレ
が生じることを抑制できる。なお、ここでモアレとは、微細な幅で等間隔に設けられた導
電膜等に、外部の光等が透過するとき、又は外部の光が反射するときに、回折や干渉によ
り生じる干渉模様をいう。
【０３７９】
また、電極５３１及び電極５３２に、導電性のナノワイヤを用いてもよい。図２６（Ｄ
）には、ナノワイヤ５６４を用いた場合の例を示している。隣接するナノワイヤ５６４同
士が接触するように、適当な密度で分散させることにより、２次元的なネットワークが形
成され、極めて透光性の高い導電膜として機能させることができる。例えば直径の平均値
が１ｎｍ以上１００ｎｍ以下、好ましくは５ｎｍ以上５０ｎｍ以下、より好ましくは５ｎ
ｍ以上２５ｎｍ以下のナノワイヤを用いることができる。ナノワイヤ５６４としては、Ａ
ｇナノワイヤや、Ｃｕナノワイヤ、Ａｌナノワイヤ等の金属ナノワイヤ、または、カーボ
ンナノチューブなどを用いることができる。例えばＡｇナノワイヤの場合、光透過率は８
９％以上、シート抵抗値は４０以上１００以下Ω／□を実現することができる。
【０３８０】
図２５（Ａ）等では、電極５３１及び電極５３２の上面形状として、複数の菱形が一方
向に連なった形状とした例を示したが、電極５３１及び電極５３２の形状としてはこれに
限られず、帯状（長方形状）、曲線を有する帯状、ジグザグ形状など、様々な上面形状と
することができる。また、上記では電極５３１と電極５３２とが直交するように配置され
ているように示しているが、これらは必ずしも直交して配置される必要はなく、２つの電
極の成す角が９０度未満であってもよい。
【０３８１】
図２７（Ａ）乃至（Ｃ）には、電極５３１及び電極５３２に代えて、細線状の上面形状
を有する電極５３６及び電極５３７を用いた場合の例を示している。図２７（Ａ）におい
て、それぞれ直線状の電極５３６及び電極５３７が、格子状に配列している例を示してい
る。
【０３８２】
また、図２７（Ｂ）では、電極５３６及び電極５３７がジグザグ状の上面形状を有する
場合の例を示している。このとき、図２７（Ｂ）に示すように、それぞれの直線部分の中
心位置を重ねるのではなく、相対的にずらして配置することで、電極５３６と電極５３７
とが平行に対向する部分の長さを長くすることができ、電極間の相互容量が高められ、検
出感度が向上するため好ましい。または、図２７（Ｃ）に示すように、電極５３６及び電
極５３７の上面形状として、ジグザグ形状の直線部分の一部が突出した形状とすると、当
該直線部分の中心位置を重ねて配置しても、対向する部分の長さを長くすることができる
ため電極間の相互容量を高めることができる。
【０３８３】
図２７（Ｂ）中の一点鎖線で囲った領域の拡大図を図２８（Ａ）（Ｂ）（Ｃ）に、図２
７（Ｃ）中の一点鎖線で囲った領域の拡大図を図２８（Ｄ）（Ｅ）（Ｆ）にそれぞれ示す
。また各図には電極５３６、電極５３７、およびこれらが交差する交差部５３８を示して
いる。図２８（Ｂ）、（Ｅ）に示すように、図２８（Ａ）、（Ｄ）における電極５３６及
び電極５３７の直線部分が、角部を有するように蛇行する形状であってもよいし、図２８
（Ｃ）、（Ｆ）に示すように、曲線が連続するように蛇行する形状であってもよい。
【０３８４】
［構成例４］
図２９に示すように、タッチパネル５００ＴＰは、表示部５００及び入力部６００を重
ねて有する。図３０は、図２９に示す一点鎖線Ｚ１−Ｚ２間の断面図である。
【０３８５】
以下に、タッチパネル５００ＴＰを構成する個々の要素について説明する。なお、これ
らの構成は明確に分離できず、一つの構成が他の構成を兼ねる場合や他の構成の一部を含
む場合がある。なお、表示部５００に入力部６００が重ねられたタッチパネル５００ＴＰ
をタッチパネルともいう。
【０３８６】
入力部６００は、マトリクス状に配設される複数の検知ユニット６０２を有する。また
、入力部６００は、選択信号線ＧＬ、制御線ＲＥＳ、信号線ＤＬなどを有する。
【０３８７】
選択信号線ＧＬや制御線ＲＥＳは、行方向（図中に矢印Ｒで示す）に配置される複数の
検知ユニット６０２と電気的に接続される。信号線ＤＬは、列方向（図中に矢印Ｃで示す
）に配置される複数の検知ユニット６０２と電気的に接続される。
【０３８８】
検知ユニット６０２は近接又は接触するものを検知して検知信号を供給する。例えば静
電容量、照度、磁力、電波又は圧力等を検知して、検知した物理量に基づく情報を供給す
る。具体的には、容量素子、光電変換素子、磁気検知素子、圧電素子又は共振器等を検知
素子に用いることができる。
【０３８９】
検知ユニット６０２は、例えば、近接又は接触するものとの間の静電容量の変化を検知
する。
【０３９０】
なお、大気中において、指などの大気より大きな誘電率を有するものが導電膜に近接す
ると、指と導電膜の間の静電容量が変化する。この静電容量の変化を検知して検知情報を
供給することができる。
【０３９１】
例えば、静電容量の変化に伴い容量素子との間で電荷の分配が引き起こされ、容量素子
の両端の電極の電圧が変化する。この電圧の変化を検知信号に用いることができる。
【０３９２】
検知ユニット６０２は検知回路を有する。検知回路は、選択信号線ＧＬ、制御線ＲＥＳ
又は信号線ＤＬなどに電気的に接続される。
【０３９３】
検知回路は、トランジスタ又は／及び検知素子等を有する。例えば、導電膜と、当該導
電膜に電気的に接続される容量素子と、を検知回路に用いることができる。また、容量素
子と、当該容量素子に電気的に接続されるトランジスタと、を検知回路に用いることがで
きる。
【０３９４】
検知回路には、例えば、絶縁層６５３と、絶縁層６５３を挟持する第１の電極６５１及
び第２の電極６５２と、を有する容量素子６５０を用いることができる（図３０）。容量
素子６５０の電極間の電圧は一方の電極に電気的に接続された導電膜にものが近接するこ
とにより変化する。
【０３９５】
検知ユニット６０２は、制御信号に基づいて導通状態又は非導通状態にすることができ
るスイッチを有する。例えば、トランジスタＭ１２をスイッチに用いることができる。
【０３９６】
また、検知信号を増幅するトランジスタを検知ユニット６０２に用いることができる。
【０３９７】
同一の工程で作製することができるトランジスタを、検知信号を増幅するトランジスタ
及びスイッチに用いることができる。これにより、作製工程が簡略化された入力部６００
を提供できる。
【０３９８】
また、検知ユニット６０２はマトリクス状に配置された複数の窓部６６７を有する。窓
部６６７は可視光を透過し、複数の窓部６６７の間に遮光性の層ＢＭを配設してもよい。
【０３９９】
タッチパネル５００ＴＰは、窓部６６７に重なる位置に着色層を有する。着色層は、所
定の色の光を透過する。なお、着色層はカラーフィルタということができる。例えば、青
色の光を透過する着色層３６７Ｂ、緑色の光を透過する着色層３６７Ｇ、又は赤色の光を
透過する着色層３６７Ｒを用いることができる。また、黄色の光を透過する着色層や白色
の光を透過する着色層を用いてもよい。
【０４００】
表示部５００は、マトリクス状に配置された複数の画素３０２を有する。画素３０２は
入力部６００の窓部６６７と重なるように配置されている。画素３０２は、検知ユニット
６０２に比べて高い精細度で配設されてもよい。画素は、構成例１と同様であるため、説
明を省略する。
【０４０１】
タッチパネル５００ＴＰは、可視光を透過する窓部６６７及びマトリクス状に配設され
る複数の検知ユニット６０２を有する入力部６００と、窓部６６７に重なる画素３０２を
複数有する表示部５００と、を有し、窓部６６７と画素３０２の間に着色層を含んで構成
される。また、それぞれの検知ユニットに他の検知ユニットへの干渉を低減することがで
きるスイッチが配設されている。
【０４０２】
これにより、各検知ユニットが検知する検知情報を検知ユニットの位置情報と共に供給
することができる。また、画像を表示する画素の位置情報に関連付けて検知情報を供給す
ることができる。また、検知情報を供給させない検知ユニットと信号線を非導通状態にす
ることで、検知信号を供給させる検知ユニットへの干渉を低減することができる。その結
果、利便性又は信頼性に優れた新規なタッチパネル５００ＴＰを提供することができる。
【０４０３】
例えば、タッチパネル５００ＴＰの入力部６００は検知情報を検知して位置情報と共に
供給することができる。具体的には、タッチパネル５００ＴＰの使用者は、入力部６００
に触れた指等をポインタに用いて様々なジェスチャー（タップ、ドラッグ、スワイプ又は
ピンチイン等）をすることができる。
【０４０４】
入力部６００は、入力部６００に近接又は接触する指等を検知して、検知した位置又は
軌跡等を含む検知情報を供給することができる。
【０４０５】
演算装置は供給された情報が所定の条件を満たすか否かをプログラム等に基づいて判断
し、所定のジェスチャーに関連付けられた命令を実行する。
【０４０６】
これにより、入力部６００の使用者は、指等を用いて所定のジェスチャーを供給し、所
定のジェスチャーに関連付けられた命令を演算装置に実行させることができる。
【０４０７】
例えば、タッチパネル５００ＴＰの入力部６００は、まず、一の信号線に検知情報を供
給することができる複数の検知ユニットから一の検知ユニットＸを選択する。そして、検
知ユニットＸを除いた他の検知ユニットと当該一の信号線を非導通状態にする。これによ
り、他の検知ユニットがもたらす検知ユニットＸへの干渉を低減することができる。
【０４０８】
具体的には、他の検知ユニットの検知素子がもたらす検知ユニットＸの検知素子への干
渉を低減できる。
【０４０９】
例えば、容量素子及び当該容量素子の一の電極が電気的に接続された導電膜を検知素子
に用いる場合において、他の検知ユニットの導電膜の電位がもたらす、検知ユニットＸの
導電膜の電位への干渉を低減することができる。
【０４１０】
これにより、タッチパネル５００ＴＰはその大きさに依存することなく、検知ユニット
を駆動して、検知情報を供給させることができる。例えば、ハンドヘルド型に用いること
ができる大きさから、電子黒板に用いることができる大きさまで、さまざまな大きさのタ
ッチパネル５００ＴＰを提供することができる。
【０４１１】
また、タッチパネル５００ＴＰは、折り畳まれた状態及び展開された状態にすることが
できる。そして、折り畳まれた状態と展開された状態とで、他の検知ユニットがもたらす
検知ユニットＸへの干渉が異なる場合においても、タッチパネル５００ＴＰの状態に依存
することなく検知ユニットを駆動して、検知情報を供給させることができる。
【０４１２】
また、タッチパネル５００ＴＰの表示部５００は表示情報を供給されることができる。
例えば、演算装置は表示情報を供給することができる。
【０４１３】
以上の構成に加えて、タッチパネル５００ＴＰは以下の構成を有することもできる。
【０４１４】
タッチパネル５００ＴＰは、駆動回路６０３ｇ又は駆動回路６０３ｄを有してもよい。
また、ＦＰＣ１と電気的に接続されてもよい。
【０４１５】
駆動回路６０３ｇは例えば所定のタイミングで選択信号を供給することができる。具体
的には、選択信号を選択信号線ＧＬごとに所定の順番で供給する。また、さまざまな回路
を駆動回路６０３ｇに用いることができる。例えば、シフトレジスタ、フリップフロップ
回路、組み合わせ回路などを用いることができる。
【０４１６】
駆動回路６０３ｄは、検知ユニットが供給する検知信号に基づいて検知情報を供給する
。また、さまざまな回路を駆動回路６０３ｄに用いることができる。例えば、検知ユニッ
トに配設された検知回路と電気的に接続されることによりソースフォロワ回路やカレント
ミラー回路を構成することができる回路を、駆動回路６０３ｄに用いることができる。ま
た、検知信号をデジタル信号に変換するアナログデジタル変換回路を有していてもよい。
【０４１７】
ＦＰＣ１は、タイミング信号、電源電位等を供給し、検知信号を供給される。
【０４１８】
タッチパネル５００ＴＰは、駆動回路５０３ｇ、駆動回路５０３ｓ、配線３１１、又は
端子３１９を有してもよい。また、ＦＰＣ２と電気的に接続されてもよい。
【０４１９】
また、傷の発生を防いでタッチパネル５００ＴＰを保護する保護層６７０を有していて
もよい。例えば、セラミックコート層又はハードコート層を保護層６７０に用いることが
できる。具体的には、酸化アルミニウムを含む層又はＵＶ硬化樹脂を用いることができる
。
【０４２０】
なお、半透過型液晶ディスプレイや反射型液晶ディスプレイを実現する場合には、画素
電極の一部、又は、全部が、反射電極としての機能を有するようにすればよい。例えば、
画素電極の一部、又は、全部が、アルミニウム、銀、などを有するようにすればよい。
【０４２１】
また、反射電極の下に、ＳＲＡＭなどの記憶回路を設けることも可能である。これによ
り、さらに、消費電力を低減することができる。また、適用する表示素子に好適な構成を
様々な画素回路から選択して用いることができる。
【０４２２】
本実施の形態で説明したタッチパネルを、実施の形態１の表示装置５０を構成する表示
パネル１００のかわりに用いることができる。その場合、タッチパネル３９０やタッチパ
ネル５０５Ｂのように、タッチパネルに接続される複数のＦＰＣが一方向から取り出され
る構成のタッチパネルを好適に用いることができる。なお、表示パネル１００のかわりに
タッチパネルを用いた場合、表示装置５０は入出力装置と呼ぶこともできる。
【０４２３】
また、複数のタッチパネルを基板１０６と接着する接着層１０７を、それぞれのタッチ
パネルのタッチセンサ５９５（または入力部６００）における上面の高さを一致させ、か
つ該上面と基板１０６とが平行となるように設けることが好ましい。入出力装置の表面（
すなわち基板１０６の表面）とそれぞれのタッチパネルのタッチセンサ５９５（または入
力部６００）との距離を等しくすることで、入出力装置の検出感度の場所依存性（面内ム
ラとも呼ぶ）を小さくすることができる。
【０４２４】
本実施の形態は、少なくともその一部を本明細書中に記載する他の実施の形態と適宜組
み合わせて実施することができる。
【０４２５】
（実施の形態６）
本実施の形態では、本発明の一態様の電子機器及び照明装置について、図面を用いて説
明する。
【０４２６】
電子機器としては、例えば、テレビジョン装置（テレビ、又はテレビジョン受信機とも
いう）、コンピュータ用などのモニタ、デジタルカメラ、デジタルビデオカメラ、デジタ
ルフォトフレーム、携帯電話機（携帯電話、携帯電話装置ともいう）、携帯型ゲーム機、
携帯情報端末、音響再生装置、パチンコ機などの大型ゲーム機などが挙げられる。
【０４２７】
また、本発明の一態様の電子機器又は照明装置は可撓性を有するため、家屋やビルの内
壁もしくは外壁、又は、自動車の内装もしくは外装の曲面に沿って組み込むことも可能で
ある。
【０４２８】
また、本発明の一態様の電子機器は、二次電池を有していてもよく、非接触電力伝送を
用いて、二次電池を充電することができると好ましい。
【０４２９】
二次電池としては、例えば、ゲル状電解質を用いるリチウムポリマー電池（リチウムイ
オンポリマー電池）等のリチウムイオン二次電池、リチウムイオン電池、ニッケル水素電
池、ニカド電池、有機ラジカル電池、鉛蓄電池、空気二次電池、ニッケル亜鉛電池、銀亜
鉛電池などが挙げられる。
【０４３０】
本発明の一態様の電子機器は、アンテナを有していてもよい。アンテナで信号を受信す
ることで、表示部で映像や情報等の表示を行うことができる。また、電子機器が二次電池
を有する場合、アンテナを、非接触電力伝送に用いてもよい。
【０４３１】
本発明の一態様の表示装置は、表示パネルの数を増やすことにより、表示領域の面積を
上限なく大きくすることが可能である。したがって、本発明の一態様の表示装置はデジタ
ルサイネージやＰＩＤなどに好適に用いることができる。また、本発明の一態様の表示装
置は、表示パネルの配置方法を変えることで、表示装置の外形を様々な形状にすることが
できる。
【０４３２】
図３１（Ａ）では、柱５５や壁５６に、本発明の一態様の表示装置５０を適用した例を
示している。表示装置５０に用いる表示パネル１００として、可撓性を有する表示パネル
を用いることで、曲面に沿って表示装置５０を設置することが可能となる。
【０４３３】
ここで特に、デジタルサイネージやＰＩＤに本発明の一態様の表示装置を用いる場合に
は、表示パネルにタッチパネルを適用することで、表示領域に画像や動画を表示するだけ
でなく観察者が直感的に操作することが可能となるため好ましい。また、路線情報や交通
情報などの情報を提供するための用途に用いる場合には、直感的な操作によりユーザビリ
ティを高めることができる。なお、ビルや公共施設などの壁面に設置する場合などは、表
示パネルにタッチパネルを適用しなくてもよい。
【０４３４】
図３１（Ｂ）乃至（Ｅ）に、湾曲した表示部７０００を有する電子機器の一例を示す。
表示部７０００はその表示面が湾曲して設けられ、湾曲した表示面に沿って表示を行うこ
とができる。なお、表示部７０００は可撓性を有していてもよい。
【０４３５】
図３１（Ｂ）乃至（Ｅ）に示す各電子機器が有する表示部７０００は、本発明の一態様
の表示装置を用いて作製される。
【０４３６】
図３１（Ｂ）に携帯電話機の一例を示す。携帯電話機７１００は、筐体７１０１、表示
部７０００、操作ボタン７１０３、外部接続ポート７１０４、スピーカ７１０５、マイク
７１０６等を有する。
【０４３７】
図３１（Ｂ）に示す携帯電話機７１００は、表示部７０００にタッチセンサを備える。
電話を掛ける、或いは文字を入力するなどのあらゆる操作は、指やスタイラスなどで表示
部７０００に触れることで行うことができる。
【０４３８】
また、操作ボタン７１０３の操作により、電源のＯＮ、ＯＦＦ動作や、表示部７０００
に表示される画像の種類を切り替えることができる。例えば、メール作成画面から、メイ
ンメニュー画面に切り替えることができる。
【０４３９】
図３１（Ｃ）にテレビジョン装置の一例を示す。テレビジョン装置７２００は、筐体７
２０１に表示部７０００が組み込まれている。ここでは、スタンド７２０３により筐体７
２０１を支持した構成を示している。
【０４４０】
図３１（Ｃ）に示すテレビジョン装置７２００の操作は、筐体７２０１が備える操作ス
イッチや、別体のリモコン操作機７２１１により行うことができる。又は、表示部７００
０にタッチセンサを備えていてもよく、指等で表示部７０００に触れることで操作しても
よい。リモコン操作機７２１１は、当該リモコン操作機７１１１から出力する情報を表示
する表示部を有していてもよい。リモコン操作機７２１１が備える操作キー又はタッチパ
ネルにより、チャンネルや音量の操作を行うことができ、表示部７０００に表示される映
像を操作することができる。
【０４４１】
なお、テレビジョン装置７２００は、受信機やモデムなどを備えた構成とする。受信機
により一般のテレビ放送の受信を行うことができる。また、モデムを介して有線又は無線
による通信ネットワークに接続することにより、一方向（送信者から受信者）又は双方向
（送信者と受信者間、あるいは受信者間同士など）の情報通信を行うことも可能である。
【０４４２】
図３１（Ｄ）に携帯情報端末の一例を示す。携帯情報端末７３００は、筐体７３０１及
び表示部７０００を有する。さらに、操作ボタン、外部接続ポート、スピーカ、マイク、
アンテナ、又はバッテリ等を有していてもよい。表示部７０００にはタッチセンサを備え
る。携帯情報端末７３００の操作は、指やスタイラスなどで表示部７０００に触れること
で行うことができる。
【０４４３】
図３１（Ｄ）は、携帯情報端末７３００の斜視図であり、図３１（Ｅ）は携帯情報端末
７３００の上面図である。
【０４４４】
本実施の形態で例示する携帯情報端末は、例えば、電話機、手帳又は情報閲覧装置等か
ら選ばれた一つ又は複数の機能を有する。具体的には、スマートフォンとしてそれぞれ用
いることができる。本実施の形態で例示する携帯情報端末は、例えば、移動電話、電子メ
ール、文章閲覧及び作成、音楽再生、インターネット通信、コンピュータゲームなどの種
々のアプリケーションを実行することができる。
【０４４５】
携帯情報端末７３００は、文字や画像情報をその複数の面に表示することができる。例
えば、図３１（Ｄ）に示すように、３つの操作ボタン７３０２を一の面に表示し、矩形で
示す情報７３０３を他の面に表示することができる。図３１（Ｄ）、（Ｅ）では、携帯情
報端末の上側に情報が表示される例を示す。または、携帯情報端末の横側に情報が表示さ
れてもよい。また、携帯情報端末の３面以上に情報を表示してもよい。
【０４４６】
なお、情報の例としては、ＳＮＳ（ソーシャル・ネットワーキング・サービス）の通知
、電子メールや電話などの着信を知らせる表示、電子メールなどの題名もしくは送信者名
、日時、時刻、バッテリの残量、アンテナ受信の強度などがある。又は、情報が表示され
ている位置に、情報の代わりに、操作ボタン、アイコンなどを表示してもよい。
【０４４７】
例えば、携帯情報端末７３００の使用者は、洋服の胸ポケットに携帯情報端末７３００
を収納した状態で、その表示（ここでは情報７３０３）を確認することができる。
【０４４８】
具体的には、着信した電話の発信者の電話番号又は氏名等を、携帯情報端末７３００の
上方から観察できる位置に表示する。使用者は、携帯情報端末７３００をポケットから取
り出すことなく、表示を確認し、電話を受けるか否かを判断できる。
【０４４９】
図３１（Ｆ）に、湾曲した発光部を有する照明装置の一例を示している。
【０４５０】
図３１（Ｆ）に示す照明装置が有する発光部は、本発明の一態様の表示装置を用いて作
製される。
【０４５１】
図３１（Ｆ）に示す照明装置７４００は、波状の発光面を有する発光部７４０２を備え
る。したがってデザイン性の高い照明装置となっている。
【０４５２】
また、照明装置７４００の備える各々の発光部は可撓性を有していてもよい。発光部を
可塑性の部材や可動なフレームなどの部材で固定し、用途に合わせて発光部の発光面を自
在に湾曲可能な構成としてもよい。
【０４５３】
照明装置７４００は、操作スイッチ７４０３を備える台部７４０１と、台部７４０１に
支持される発光部を有する。
【０４５４】
なおここでは、台部によって発光部が支持された照明装置について例示したが、発光部
を備える筐体を天井に固定する、又は天井からつり下げるように用いることもできる。発
光面を湾曲させて用いることができるため、発光面を凹状に湾曲させて特定の領域を明る
く照らす、又は発光面を凸状に湾曲させて部屋全体を明るく照らすこともできる。
【０４５５】
図３２（Ａ１）、（Ａ２）、（Ｂ）乃至（Ｉ）に、可撓性を有する表示部７００１を有
する携帯情報端末の一例を示す。
【０４５６】
表示部７００１は、本発明の一態様の表示装置を用いて作製される。例えば、曲率半径
０．０１ｍｍ以上１５０ｍｍ以下で曲げることができる表示装置を適用できる。また、表
示部７００１はタッチセンサを備えていてもよく、指等で表示部７００１に触れることで
携帯情報端末を操作することができる。
【０４５７】
図３２（Ａ１）は、携帯情報端末の一例を示す斜視図であり、図３２（Ｂ）は、携帯情
報端末の一例を示す側面図である。携帯情報端末７５００は、筐体７５０１、表示部７０
０１、引き出し部材７５０２、操作ボタン７５０３等を有する。
【０４５８】
携帯情報端末７５００は、筐体７５０１内にロール状に巻かれた可撓性を有する表示部
７００１を有する。
【０４５９】
また、携帯情報端末７５００は内蔵された制御部によって映像信号を受信可能で、受信
した映像を表示部７００１に表示することができる。また、携帯情報端末７５００にはバ
ッテリが内蔵されている。また、筐体７５０１にコネクタを接続する端子部を備え、映像
信号や電力を有線により外部から直接供給する構成としてもよい。
【０４６０】
また、操作ボタン７５０３によって、電源のＯＮ、ＯＦＦ動作や表示する映像の切り替
え等を行うことができる。なお、図３２（Ａ１）、（Ａ２）、（Ｂ）では、携帯情報端末
７５００の側面に操作ボタン７５０３を配置する例を示すが、これに限られず、携帯情報
端末７５００の表示面と同じ面（おもて面）や、裏面に配置してもよい。
【０４６１】
図３２（Ｂ）には、表示部７００１を引き出し部材７５０２により引き出した状態の携
帯情報端末７５００を示す。この状態で表示部７００１に映像を表示することができる。
また、表示部７００１の一部がロール状に巻かれた図３２（Ａ１）の状態と表示部７００
１を引き出し部材７５０２により引き出した図３２（Ｂ）の状態とで、携帯情報端末７５
００が異なる表示を行う構成としてもよい。例えば、図３２（Ａ１）の状態のときに、表
示部７００１のロール状に巻かれた部分を非表示とすることで、携帯情報端末７５００の
消費電力を下げることができる。
【０４６２】
なお、表示部７００１を引き出した際に表示部７００１の表示面が平面状となるように
固定するため、表示部７００１の側部に補強のためのフレームを設けていてもよい。
【０４６３】
なお、この構成以外に、筐体にスピーカを設け、映像信号と共に受信した音声信号によ
って音声を出力する構成としてもよい。
【０４６４】
図３２（Ｃ）乃至（Ｅ）に、折りたたみ可能な携帯情報端末の一例を示す。図３２（Ｃ
）では、展開した状態、図３２（Ｄ）では、展開した状態又は折りたたんだ状態の一方か
ら他方に変化する途中の状態、図３２（Ｅ）では、折りたたんだ状態の携帯情報端末７６
００を示す。携帯情報端末７６００は、折りたたんだ状態では可搬性に優れ、展開した状
態では、継ぎ目のない広い表示領域により一覧性に優れる。
【０４６５】
表示部７００１はヒンジ７６０２によって連結された３つの筐体７６０１に支持されて
いる。ヒンジ７６０２を介して２つの筐体７６０１間を屈曲させることにより、携帯情報
端末７６００を展開した状態から折りたたんだ状態に可逆的に変形させることができる。
【０４６６】
図３２（Ｆ）、（Ｇ）に、折りたたみ可能な携帯情報端末の一例を示す。図３２（Ｆ）
では、表示部７００１が外側になるように折りたたんだ状態、図３２（Ｇ）では、表示部
７００１が内側になるように折りたたんだ状態の携帯情報端末７６５０を示す。携帯情報
端末７６５０は表示部７００１及び非表示部７６５１を有する。携帯情報端末７６５０を
使用しない際に、表示部７００１が内側になるように折りたたむことで、表示部７００１
の汚れや傷つきを抑制できる。
【０４６７】
図３２（Ｈ）に、可撓性を有する携帯情報端末の一例を示す。携帯情報端末７７００は
、筐体７７０１及び表示部７００１を有する。さらに、入力手段であるボタン７７０３ａ
、７７０３ｂ、音声出力手段であるスピーカ７７０４ａ、７７０４ｂ、外部接続ポート７
７０５、マイク７７０６等を有していてもよい。また、携帯情報端末７７００は、可撓性
を有するバッテリ７７０９を搭載することができる。バッテリ７７０９は例えば表示部７
００１と重ねて配置してもよい。
【０４６８】
筐体７７０１、表示部７００１、及びバッテリ７７０９は可撓性を有する。そのため、
携帯情報端末７７００を所望の形状に湾曲させることや、携帯情報端末７７００に捻りを
加えることが容易である。例えば、携帯情報端末７７００は、表示部７００１が内側又は
外側になるように折り曲げて使用することができる。又は、携帯情報端末７７００をロー
ル状に巻いた状態で使用することもできる。このように、筐体７７０１及び表示部７００
１を自由に変形することが可能であるため、携帯情報端末７７００は、落下した場合、又
は意図しない外力が加わった場合であっても、破損しにくいという利点がある。
【０４６９】
また、携帯情報端末７７００は軽量であるため、筐体７７０１の上部をクリップ等で把
持してぶら下げて使用する、又は、筐体７７０１を磁石等で壁面に固定して使用するなど
、様々な状況において利便性良く使用することができる。
【０４７０】
図３２（Ｉ）に腕時計型の携帯情報端末の一例を示す。携帯情報端末７８００は、バン
ド７８０１、表示部７００１、入出力端子７８０２、操作ボタン７８０３等を有する。バ
ンド７８０１は、筐体としての機能を有する。また、携帯情報端末７８００は、可撓性を
有するバッテリ７８０５を搭載することができる。バッテリ７８０５は例えば表示部７０
０１やバンド７８０１と重ねて配置してもよい。
【０４７１】
バンド７８０１、表示部７００１、及びバッテリ７８０５は可撓性を有する。そのため
、携帯情報端末７８００を所望の形状に湾曲させることが容易である。
【０４７２】
操作ボタン７８０３は、時刻設定のほか、電源のオン、オフ動作、無線通信のオン、オ
フ動作、マナーモードの実行及び解除、省電力モードの実行及び解除など、様々な機能を
持たせることができる。例えば、携帯情報端末７８００に組み込まれたオペレーティング
システムにより、操作ボタン７８０３の機能を自由に設定することもできる。
【０４７３】
また、表示部７００１に表示されたアイコン７８０４に指等で触れることで、アプリケ
ーションを起動することができる。
【０４７４】
また、携帯情報端末７８００は、通信規格された近距離無線通信を実行することが可能
である。例えば無線通信可能なヘッドセットと相互通信することによって、ハンズフリー
で通話することもできる。
【０４７５】
また、携帯情報端末７８００は入出力端子７８０２を有していてもよい。入出力端子７
８０２を有する場合、他の情報端末とコネクタを介して直接データのやりとりを行うこと
ができる。また入出力端子７８０２を介して充電を行うこともできる。なお、本実施の形
態で例示する携帯情報端末の充電動作は、入出力端子を介さずに非接触電力伝送により行
ってもよい。
【０４７６】
図３３（Ａ）に自動車９７００の外観を示す。図３３（Ｂ）に自動車９７００の運転席
を示す。自動車９７００は、車体９７０１、車輪９７０２、ダッシュボード９７０３、ラ
イト９７０４等を有する。本発明の一態様の表示装置は、自動車９７００の備える表示部
などに用いることができる。例えば、図３３（Ｂ）に示す表示部９７１０乃至表示部９７
１５に本発明の一態様の表示装置を設けることができる。
【０４７７】
表示部９７１０と表示部９７１１は、自動車のフロントガラスに設けられた表示装置で
ある。本発明の一態様の表示装置は、表示装置が有する電極を、透光性を有する導電性材
料で作製することによって、反対側が透けて見える、いわゆるシースルー状態の表示装置
とすることができる。シースルー状態の表示装置であれば、自動車９７００の運転時にも
視界の妨げになることがない。よって、本発明の一態様の表示装置を自動車９７００のフ
ロントガラスに設置することができる。なお、表示装置に、表示装置を駆動するためのト
ランジスタなどを設ける場合には、有機半導体材料を用いた有機トランジスタや、酸化物
半導体を用いたトランジスタなど、透光性を有するトランジスタを用いるとよい。
【０４７８】
表示部９７１２はピラー部分に設けられた表示装置である。例えば、車体に設けられた
撮像手段からの映像を表示部９７１２に映し出すことによって、ピラーで遮られた視界を
補完することができる。表示部９７１３はダッシュボード部分に設けられた表示装置であ
る。例えば、車体に設けられた撮像手段からの映像を表示部９７１３に映し出すことによ
って、ダッシュボードで遮られた視界を補完することができる。すなわち、自動車の外側
に設けられた撮像手段からの映像を映し出すことによって、死角を補い、安全性を高める
ことができる。また、見えない部分を補完する映像を映すことによって、より自然に違和
感なく安全確認を行うことができる。
【０４７９】
また、図３４は、運転席と助手席にベンチシートを採用した自動車の室内を示している
。表示部９７２１は、ドア部に設けられた表示装置である。例えば、車体に設けられた撮
像手段からの映像を表示部９７２１に映し出すことによって、ドアで遮られた視界を補完
することができる。また、表示部９７２２は、ハンドルに設けられた表示装置である。表
示部９７２３は、ベンチシートの座面の中央部に設けられた表示装置である。なお、表示
装置を座面や背もたれ部分などに設置して、当該表示装置を、当該表示装置の発熱を熱源
としたシートヒーターとして利用することもできる。
【０４８０】
表示部９７１４、表示部９７１５、または表示部９７２２はナビゲーション情報、スピ
ードメーターやタコメーター、走行距離、給油量、ギア状態、エアコンの設定など、その
他様々な情報を表示することができる。また、表示部に表示される表示項目やレイアウト
などは、使用者の好みに合わせて適宜変更することができる。なお、上記情報は、表示部
９７１０乃至表示部９７１３、表示部９７２１、表示部９７２３にも表示することができ
る。また、表示部９７１０乃至表示部９７１５、表示部９７２１乃至表示部９７２３は照
明装置として用いることも可能である。また、表示部９７１０乃至表示部９７１５、表示
部９７２１乃至表示部９７２３は加熱装置として用いることも可能である。
【０４８１】
なお、本発明の一態様の表示装置を具備していれば、上記で示した電子機器や照明装置
に特に限定されないことは言うまでもない。
【０４８２】
本実施の形態に示す構成及び方法などは、他の実施の形態に示す構成及び方法などと適
宜組み合わせて用いることができる。
【符号の説明】
【０４８３】
１０    表示システム
１１    領域
１１Ａ    領域
１１Ｂ    領域
１１Ｃ    領域
１１Ｄ    領域
１５    表示画像
１５Ａ    表示画像
１５Ｂ    表示画像
２０    表示装置
２０ａ    表示パネル
２０ｂ    表示パネル
２１ａ    表示領域
２１ｂ    表示領域
２２ｂ    透明部
２３ａ    予備表示領域
２３ｂ    予備表示領域
２５    表示装置
２５ａ    表示パネル
２５ｂ    表示パネル
３１    検出手段
３１ａ    検出手段
３１ｂ    検出手段
３２    補正手段
３５    表示装置
３６    表示パネル
３７    表示領域
３８    透明部
３９    非表示領域
４０    表示装置
４１    表示領域
４１ａ    表示領域
４１Ａ    表示領域
４１Ｂ    表示領域
４１Ｃ    表示領域
４２    透明部
４３    予備表示領域
４３ｂ    予備表示領域
４４    領域
４５    表示パネル
４５ａ    表示パネル
４５ｂ    表示パネル
４５ｅ    表示パネル
４６    表示画像
４８    表示装置
４９    表示装置
５０    表示装置
５１    表示領域
５５    柱
５６    壁
１００    表示パネル
１００ａ    表示パネル
１００ｂ    表示パネル
１００ｃ    表示パネル
１００ｄ    表示パネル
１０１    表示領域
１０１ａ    表示領域
１０１ｂ    表示領域
１０１ｃ    表示領域
１０１ｄ    表示領域
１０３    表示領域
１０４    ＦＰＣ
１０５    保護部材
１０６    基板
１０７    接着層
１１０    透明部
１１０ｂ    透明部
１１０ｃ    透明部
１１０ｄ    透明部
１１２    ＦＰＣ
１１２ａ    ＦＰＣ
１１２ｂ    ＦＰＣ
１２０    領域
１２０ａ    領域
１２０ｂ    領域
１２０ｃ    領域
１２３    ＦＰＣ
１３１    樹脂層
１３２    保護基板
１３３    樹脂層
１３４    保護基板
１４１    画素
１４１ａ    画素
１４１ｂ    画素
１４２ａ    配線
１４２ｂ    配線
１４３ａ    回路
１４３ｂ    回路
１４５    配線
１５１    基板
１５２    基板
１５３    接着層
１７０    領域
２００    表示装置
２０１    軸部
２０２    回転機構
２０３    軸受部
２１１    コード
２１２    バー
２１３    コード
２２１    壁
２２２    カバー
２３０    テーブル
２３１    筐体
２３２    カバー
２４０    表示機器
２４１    筐体
２４２    バー
２４３    フレーム
２４４    脚部
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０４    ゲート
３０８    撮像画素
３０８ｐ    光電変換素子
３０８ｔ    トランジスタ
３０９    ＦＰＣ
３１１    配線
３１９    端子
３２１    絶縁層
３２８    隔壁
３２９    スペーサ
３５０Ｒ    発光素子
３５１Ｒ    下部電極
３５２    上部電極
３５３    ＥＬ層
３５３ａ    ＥＬ層
３５３ｂ    ＥＬ層
３５４    中間層
３６０    接着層
３６７Ｂ    着色層
３６７ＢＭ    遮光層
３６７Ｇ    着色層
３６７ｐ    反射防止層
３６７Ｒ    着色層
３８０Ｂ    発光モジュール
３８０Ｇ    発光モジュール
３８０Ｒ    発光モジュール
３９０    タッチパネル
５００    表示部
５００ＴＰ    タッチパネル
５０１    表示部
５０３ｇ    駆動回路
５０３ｓ    駆動回路
５０５Ａ    タッチパネル
５０５Ｂ    タッチパネル
５０９    ＦＰＣ
５３１    電極
５３２    電極
５３３    電極
５３４    ブリッジ電極
５３６    電極
５３７    電極
５３８    交差部
５４１    配線
５４２    配線
５５０    ＦＰＣ
５６１    導電膜
５６２    導電膜
５６３    導電膜
５６４    ナノワイヤ
５９０    基板
５９１    電極
５９２    電極
５９３    絶縁層
５９４    配線
５９５    タッチセンサ
５９７    接着層
５９８    配線
５９９    接続層
６００    入力部
６０２    検知ユニット
６０３ｄ    駆動回路
６０３ｇ    駆動回路
６５０    容量素子
６５１    電極
６５２    電極
６５３    絶縁層
６６７    窓部
６７０    保護層
７０１    基板
７０３    接着層
７０５    絶縁層
７１１    基板
７１３    接着層
７１５    絶縁層
７２３    接着層
８０４    表示部
８０６    動作回路部
８０８    ＦＰＣ
８１０    透明部
８１５    絶縁層
８１６    絶縁層
８１７    絶縁層
８１７ａ    絶縁層
８１７ｂ    絶縁層
８２０    トランジスタ
８２１    絶縁層
８２２    接着層
８２５    接続体
８３０    発光素子
８３１    下部電極
８３３    ＥＬ層
８３５    上部電極
８４５    着色層
８４７    遮光層
８５７    導電層
７０００    表示部
７００１    表示部
７１００    携帯電話機
７１０１    筐体
７１０３    操作ボタン
７１０４    外部接続ポート
７１０５    スピーカ
７１０６    マイク
７１１１    リモコン操作機
７２００    テレビジョン装置
７２０１    筐体
７２０３    スタンド
７２１１    リモコン操作機
７３００    携帯情報端末
７３０１    筐体
７３０２    操作ボタン
７３０３    情報
７４００    照明装置
７４０１    台部
７４０２    発光部
７４０３    操作スイッチ
７５００    携帯情報端末
７５０１    筐体
７５０２    部材
７５０３    操作ボタン
７６００    携帯情報端末
７６０１    筐体
７６０２    ヒンジ
７６５０    携帯情報端末
７６５１    非表示部
７７００    携帯情報端末
７７０１    筐体
７７０３ａ    ボタン
７７０３ｂ    ボタン
７７０４ａ    スピーカ
７７０４ｂ    スピーカ
７７０５    外部接続ポート
７７０６    マイク
７７０９    バッテリ
７８００    携帯情報端末
７８０１    バンド
７８０２    入出力端子
７８０３    操作ボタン
７８０４    アイコン
７８０５    バッテリ
９７００    自動車
９７０１    車体
９７０２    車輪
９７０３    ダッシュボード
９７０４    ライト
９７１０    表示部
９７１１    表示部
９７１２    表示部
９７１３    表示部
９７１４    表示部
９７１５    表示部
９７２１    表示部
９７２２    表示部
９７２３    表示部
【図１】
2020170177.tif 000003
【図２】
2020170177.tif 000004
【図３】
2020170177.tif 000005
【図４】
2020170177.tif 000006
【図５】
2020170177.tif 000007
【図６】
2020170177.tif 000008
【図７】
2020170177.tif 000009
【図８】
2020170177.tif 000010
【図９】
2020170177.tif 000011
【図１０】
2020170177.tif 000012
【図１１】
2020170177.tif 000013
【図１２】
2020170177.tif 000014
【図１３】
2020170177.tif 000015
【図１４】
2020170177.tif 000016
【図１５】
2020170177.tif 000017
【図１６】
2020170177.tif 000018
【図１７】
2020170177.tif 000019
【図１８】
2020170177.tif 000020
【図１９】
2020170177.tif 000021
【図２０】
2020170177.tif 000022
【図２１】
2020170177.tif 000023
【図２２】
2020170177.tif 000024
【図２３】
2020170177.tif 000025
【図２４】
2020170177.tif 000026
【図２５】
2020170177.tif 000027
【図２６】
2020170177.tif 000028
【図２７】
2020170177.tif 000029
【図２８】
2020170177.tif 000030
【図２９】
2020170177.tif 000031
【図３０】
2020170177.tif 000032
【図３１】
2020170177.tif 000033
【図３２】
2020170177.tif 000034
【図３３】
2020170177.tif 000035
【図３４】
2020170177.tif 000036